(57)【特許請求の範囲】
【請求項１】
データ送信装置であって、
第１サブパケット及び第２サブパケットを少なくとも含むパケットを、オーディオストリーム毎に生成するパケット生成部と、
前記生成されたパケットをデータ受信装置に送信する送信部とを備え、
前記第１サブパケット及び前記第２サブパケットは、第１コンテンツに対する相異なるオーディオデータを含み、
前記パケットはヘッダ及びペイロードを含み、
前記ヘッダは、
前記オーディオストリームに含まれるパケットの順番を示すシーケンス番号フィールドと、サブパケットの有無を示すプレゼントフィールドとを含み、
前記ペイロードは、オーディオタイプ情報フィールドを含み、
前記オーディオタイプ情報フィールドは、サブオーディオタイププレゼントフィールド、サブオーディオタイプフィールド、ミックスオーディオフィールド、及び言語コード有効フィールドを含み、
前記サブオーディオタイププレゼントフィールドは、オーディオデータのサブオーディオが存在するか否かを表し、
前記サブオーディオタイプフィールドは、前記複数のサブパケットのそれぞれに含まれたオーディオデータに対するサブオーディオタイプを表し、
前記ミックスオーディオフィールドは、メインオーディオデータと前記サブオーディオデータとがプレミックスされるか否かを示す１ビットのフィールドであり、
前記言語コード有効フィールドは、前記オーディオデータの有効な言語があるか否かを示す１ビットのフィールドであり、
前記サブオーディオタイププレゼントフィールドが予め設定された第１値に設定されると、前記サブオーディオタイププレゼントフィールドはサブオーディオタイプフィールドを含み、前記サブオーディオタイププレゼントフィールドが予め設定された第２値に設定されると、前記サブオーディオタイプフィールドは無視され、
前記ミックスオーディオフィールドが予め設定された第１値に設定されると、前記オーディオデータは前記メインオーディオ及び前記サブオーディオがプレミックスされたストリームを含み、
前記言語コード有効フィールドが予め設定された第１値に設定されると、前記オーディオデータは言語コードフィールドを含む、データ送信装置。
【請求項２】
前記第１サブパケットは、非障害者のためのオーディオデータを含み、
前記第２サブパケットは、視覚障害者のためのオーディオデータを含むことを特徴とする請求項１に記載のデータ送信装置。
【請求項３】
前記第１サブパケット及び前記第２サブパケットは、相異なる言語からなるオーディオデータを含むことを特徴とする請求項１に記載のデータ送信装置。
【請求項４】
前記第１サブパケットは、前記第２サブパケットに対するオーディオディスクリプションに該当するオーディオデータを含むことを特徴とする請求項１に記載のデータ送信装置。
【請求項５】
前記パケットは、前記第１コンテンツと相異なる第２コンテンツに対するオーディオデータを含む第３サブパケットをさらに含むことを特徴とする請求項１に記載のデータ送信装置。
【請求項６】
前記第１サブパケットが含むオーディオデータは、前記第１コンテンツに対する専用オーディオデータで、
前記第３サブパケットが含むオーディオデータは、前記第２コンテンツに対する専用オーディオデータであり、
前記第２サブパケットが含むオーディオデータは、前記第１コンテンツ及び前記第２コンテンツに対する共通オーディオデータであることを特徴とする請求項５に記載のデータ送信装置。
【請求項７】
前記パケットは、前記第２コンテンツに対するオーディオデータを含む第４サブパケットをさらに含み、
前記第３サブパケットと前記第４サブパケットとは、相異なるオーディオデータを含む、請求項５に記載のデータ送信装置。
【請求項８】
データ受信装置であって、
データ送信装置から、第１サブパケット及び第２サブパケットを少なくとも含むパケットを、オーディオストリーム毎に受信する受信部と、
前記受信された第１サブパケット及び前記第２サブパケットをパーシングするパーシング部とを備え、
前記第１サブパケット及び前記第２サブパケットは、第１コンテンツに対する相異なるオーディオデータを含み、
前記パケットはヘッダ及びペイロードを含み、
前記ヘッダは、
前記オーディオストリームに含まれるパケットの順番を示すシーケンス番号フィールドと、サブパケットの有無を示すプレゼントフィールドとを含み、
前記ペイロードは、オーディオタイプ情報フィールドを含み、
前記オーディオタイプ情報フィールドは、サブオーディオタイププレゼントフィールド、サブオーディオタイプフィールド、ミックスオーディオフィールド、及び言語コード有効フィールドを含み、
前記サブオーディオタイププレゼントフィールドは、オーディオデータのサブオーディオが存在するか否かを表し、
前記サブオーディオタイプフィールドは、前記複数のサブパケットのそれぞれに含まれたオーディオデータに対するサブオーディオタイプを表し、
前記ミックスオーディオフィールドは、メインオーディオデータと前記サブオーディオデータとがプレミックスされるか否かを示す１ビットのフィールドであり、
前記言語コード有効フィールドは、前記オーディオデータの有効な言語があるか否かを示す１ビットのフィールドであり、
前記サブオーディオタイププレゼントフィールドが予め設定された第１値に設定されると、前記サブオーディオタイププレゼントフィールドはサブオーディオタイプフィールドを含み、前記サブオーディオタイププレゼントフィールドが予め設定された第２値に設定されると、前記サブオーディオタイプフィールドは無視され、
前記ミックスオーディオフィールドが予め設定された第１値に設定されると、前記オーディオデータは前記メインオーディオ及び前記サブオーディオがプレミックスされたストリームを含み、
前記言語コード有効フィールドが予め設定された第１値に設定されると、前記オーディオデータは言語コードフィールドを含む、データ受信装置。
【請求項９】
前記第１サブパケットは、非障害者のためのオーディオデータを含み、
前記第２サブパケットは、視覚障害者のためのオーディオデータを含むことを特徴とする請求項８に記載のデータ受信装置。
【請求項１０】
前記第１サブパケット及び前記第２サブパケットは、相異なる言語からなるオーディオデータを含むことを特徴とする請求項８に記載のデータ受信装置。
【請求項１１】
前記第１サブパケットは、前記第２サブパケットに対するオーディオディスクリプションに該当するオーディオデータを含むことを特徴とする請求項８に記載のデータ受信装置。
【請求項１２】
前記パケットは、前記第１コンテンツと相異なる第２コンテンツに対するオーディオデータを含む第３サブパケットをさらに含むことを特徴とする請求項８に記載のデータ受信装置。
【請求項１３】
前記第１サブパケットが含むオーディオデータは、前記第１コンテンツに対する専用オーディオデータで、
前記第３サブパケットが含むオーディオデータは、前記第２コンテンツに対する専用オーディオデータであり、
前記第２サブパケットが含むオーディオデータは、前記第１コンテンツ及び前記第２コンテンツに対する共通オーディオデータであることを特徴とする請求項１２に記載のデータ受信装置。
【請求項１４】
前記パケットは、前記第２コンテンツに対するオーディオデータを含む第４サブパケットをさらに含み、
前記第３サブパケットと前記第４サブパケットとは、相異なるオーディオデータを含む、請求項１２に記載のデータ受信装置。
【請求項１５】
データ送受信システムであって、
第１サブパケット及び第２サブパケットを少なくとも含むパケットを、オーディオストリーム毎に生成してデータ受信装置に送信するデータ送信装置と、
前記データ送信装置から前記パケットを受信するデータ受信装置とを備え、
前記第１サブパケット及び前記第２サブパケットは、第１コンテンツに対する相異なるオーディオデータを含み、
前記パケットはヘッダ及びペイロードを含み、
前記ヘッダは、
前記オーディオストリームに含まれるパケットの順番を示すシーケンス番号フィールドと、サブパケットの有無を示すプレゼントフィールドとを含み、
前記ペイロードは、オーディオタイプ情報フィールドを含み、
前記オーディオタイプ情報フィールドは、サブオーディオタイププレゼントフィールド、サブオーディオタイプフィールド、ミックスオーディオフィールド、及び言語コード有効フィールドを含み、
前記サブオーディオタイププレゼントフィールドは、オーディオデータのサブオーディオが存在するか否かを表し、
前記サブオーディオタイプフィールドは、前記複数のサブパケットのそれぞれに含まれたオーディオデータに対するサブオーディオタイプを表し、
前記ミックスオーディオフィールドは、メインオーディオデータと前記サブオーディオデータとがプレミックスされるか否かを示す１ビットのフィールドであり、
前記言語コード有効フィールドは、前記オーディオデータの有効な言語があるか否かを示す１ビットのフィールドであり、
前記サブオーディオタイププレゼントフィールドが予め設定された第１値に設定されると、前記サブオーディオタイププレゼントフィールドはサブオーディオタイプフィールドを含み、前記サブオーディオタイププレゼントフィールドが予め設定された第２値に設定されると、前記サブオーディオタイプフィールドは無視され、
前記ミックスオーディオフィールドが予め設定された第１値に設定されると、前記オーディオデータは前記メインオーディオ及び前記サブオーディオがプレミックスされたストリームを含み、
前記言語コード有効フィールドが予め設定された第１値に設定されると、前記オーディオデータは言語コードフィールドを含む、データ送受信システム。
【請求項１６】
オーディオメタデータパケットを生成するパケット生成部と、
前記生成されたオーディオメタデータパケットをデータ受信装置に送信する送信部とを備え、
前記生成されたオーディオメタデータパケットのヘッダ（ｈｅａｄｅｒ）は、３Ｄオーディオサンプルパケットの送信有無を表す３Ｄオーディオフィールド（３Ｄ  Ａｕｄｉｏ  Ｆｉｅｌｄ）を、前記プレゼントフィールドとして含む、請求項１に記載のデータ送信装置。
【請求項１７】
前記生成されたオーディオメタデータパケットのヘッダは、
送信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）をさらに含むことを特徴とする請求項１６に記載のデータ送信装置。
【請求項１８】
前記生成されたオーディオメタデータパケットのヘッダは、
送信される相異なるコンテンツの個数情報を表すビュー個数フィールド（Ｎｕｍｂｅｒ  Ｏｆ  Ｖｉｅｗｓ  Ｆｉｅｌｄ）をさらに含むことを特徴とする請求項１６に記載のデータ送信装置。
【請求項１９】
前記生成されたオーディオメタデータパケットのペイロード（ｐａｙｌｏａｄ）は、
マルチストリームオーディオサンプルパケット（Ｍｕｌｔｉ−ｓｔｒｅａｍ  Ａｕｄｉｏ  Ｓａｍｐｌｅ  Ｐａｃｋｅｔ）またはマルチストリームワンビットオーディオサンプルパケット（Ｍｕｌｔｉ−ｓｔｒｅａｍ  Ｏｎｅ  Ｂｉｔ  Ａｕｄｉｏ  Ｓａｍｐｌｅ  Ｐａｃｋｅｔ）のサブパケットに対するメタデータを表すオーディオメタデータディスクリプタフィールドを含むことを特徴とする請求項１６に記載のデータ送信装置。
【請求項２０】
前記オーディオメタデータディスクリプタフィールドは、
緊急状況放送があるかどうかを表す緊急チャネルフィールド（Ｅｍｅｒｇｅｎｃｙ  Ｃｈａｎｎｅｌ  Ｆｉｅｌｄ）、マルチビューにおいて左眼または右眼映像に対応するオーディオデータを含むかどうかを表すマルチビューフィールド（Ｍｕｌｔｉｖｅｗ  Ｆｉｅｌｄ）、オーディオデータに対する言語の識別有無を表す言語コード有効フィールド（Ｌａｎｇｕａｇｅ  Ｃｏｄｅ  Ｖａｌｉｄ  Ｆｉｅｌｄ）、補助オーディオデータの有無を表す補助オーディオ有効フィールド（Ｓｕｐｐｌｅｍｅｎｔａｌ  Ａｕｄｉｏ  Ｖａｌｉｄ  Ｆｉｅｌｄ）、メインオーディオデータと前記補助オーディオデータとのプレミックス有無を表すプレミックス補助オーディオフィールド（ｐｒｅ−ｍｉｘｅｄ  Ｓｕｐｐｌｅｍｅｎｔａｌ  Ａｕｄｉｏ  Ｆｉｅｌｄ）、前記補助オーディオデータのタイプを表す補助オーディオタイプフィールド（Ｓｕｐｐｌｅｍｅｎｔａｌ  Ａｕｄｉｏ  Ｔｙｐｅ  Ｆｉｅｌｄ）、及びオーディオデータに対する言語コードを表す言語コードフィールド（Ｌａｎｇｕａｇｅ  Ｃｏｄｅ  Ｆｉｅｌｄ）のうち、少なくとも一つを含むことを特徴とする請求項１９に記載のデータ送信装置。
【請求項２１】
データ送信装置からオーディオメタデータパケットを受信する受信部と、
前記受信されたオーディオメタデータパケットをパーシングするパーシング部とを備え、
前記受信されたオーディオメタデータパケットのヘッダ（ｈｅａｄｅｒ）は、３Ｄオーディオサンプルパケットの送信有無を表す３Ｄオーディオフィールド（３Ｄ  ＡｕｄｉｏＦｉｅｌｄ）を、前記プレゼントフィールドとして含む、請求項８に記載のデータ受信装置。
【請求項２２】
前記オーディオメタデータパケットのヘッダは、受信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）をさらに含むことを特徴とする請求項２１に記載のデータ受信装置。
【請求項２３】
前記オーディオメタデータパケットのヘッダは、
受信される相異なるコンテンツの個数情報を表すビュー個数フィールド（Ｎｕｍｂｅｒ  Ｏｆ  Ｖｉｅｗｓ  Ｆｉｅｌｄ）をさらに含むことを特徴とする請求項２１に記載のデータ受信装置。
【請求項２４】
前記オーディオメタデータパケットのペイロード（ｐａｙｌｏａｄ）は、
マルチストリームオーディオサンプルパケット（Ｍｕｌｔｉ−ｓｔｒｅａｍ  Ａｕｄｉｏ  Ｓａｍｐｌｅ  Ｐａｃｋｅｔ）またはマルチストリームワンビットオーディオサンプルパケット（Ｍｕｌｔｉ−ｓｔｒｅａｍ  Ｏｎｅ  Ｂｉｔ  Ａｕｄｉｏ  Ｓａｍｐｌｅ  Ｐａｃｋｅｔ）のサブパケットに対するメタデータを表すオーディオメタデータディスクリプタフィールドを含むことを特徴とする請求項２１に記載のデータ受信装置。
【請求項２５】
前記オーディオメタデータディスクリプタフィールドは、
緊急状況放送があるかどうかを表す緊急チャネルフィールド（Ｅｍｅｒｇｅｎｃｙ  Ｃｈａｎｎｅｌ  Ｆｉｅｌｄ）、マルチビューにおいて左眼または右眼映像に対応するオーディオデータを含むかどうかを表すマルチビューフィールド（Ｍｕｌｔｉｖｅｗ  Ｆｉｅｌｄ）、オーディオデータに対する言語の識別有無を表す言語コード有効フィールド（Ｌａｎｇｕａｇｅ  Ｃｏｄｅ  Ｖａｌｉｄ  Ｆｉｅｌｄ）、補助オーディオデータの有無を表す補助オーディオ有効フィールド（Ｓｕｐｐｌｅｍｅｎｔａｌ  Ａｕｄｉｏ  Ｖａｌｉｄ  Ｆｉｅｌｄ）、メインオーディオデータと前記補助オーディオデータとのプレミックス有無を表すプレミックス補助オーディオフィールド（ｐｒｅ−ｍｉｘｅｄ  Ｓｕｐｐｌｅｍｅｎｔａｌ  Ａｕｄｉｏ  Ｆｉｅｌｄ）、前記補助オーディオデータのタイプを表す補助オーディオタイプフィールド（Ｓｕｐｐｌｅｍｅｎｔａｌ  Ａｕｄｉｏ  Ｔｙｐｅ  Ｆｉｅｌｄ）、及びオーディオデータに対する言語コードを表す言語コードフィールド（Ｌａｎｇｕａｇｅ  Ｃｏｄｅ  Ｆｉｅｌｄ）のうち、少なくとも一つを含むことを特徴とする請求項２４に記載のデータ受信装置。
【請求項２６】
データ送受信システムであって、
オーディオメタデータパケットを生成してデータ受信装置に送信するデータ送信装置と、
前記データ送信装置から前記オーディオメタデータパケットを受信するデータ受信装置とを備え、
前記オーディオメタデータパケットのヘッダ（ｈｅａｄｅｒ）は、３Ｄオーディオサンプルパケットの送信有無を表す３Ｄオーディオフィールド（３Ｄ  Ａｕｄｉｏ  Ｆｉｅｌｄ）を、前記プレゼントフィールドとして含む、請求項１５に記載のデータ送受信システム。
【請求項２７】
オーディオデータに関してシンク装置により支援される特徴情報を含むディスプレイ識別情報を生成する生成部を備え、
前記送信部は、データ受信装置に前記ディスプレイ識別情報を送信し、
前記ディスプレイ識別情報は、前記シンク装置が支援するメインオーディオ及び補助オーディオの特性に対する情報を表すメイン／補助オーディオ特性フィールドを含む、請求項１に記載のデータ送信装置。
【請求項２８】
前記メイン／補助オーディオ特性フィールドは、
前記シンク装置がメインオーディオと補助オーディオとの合成を支援するかどうかを表すオーディオミックスフィールド（Ａｕｄｉｏ  Ｍｉｘ  Ｆｉｅｌｄ）、前記シンク装置が補助オーディオを支援するかどうかを表す補助オーディオ支援フィールド（Ｓｕｐｐｌｅｍｅｎｔａｌ  Ａｕｄｉｏ  Ｓｕｐｐｏｒｔ  Ｆｉｅｌｄ）、前記シンク装置が複数の言語からなるオーディオデータを支援するかどうかを表す言語支援フィールド（Ｌａｎｇｕａｇｅ  Ｓｕｐｐｏｒｔ  Ｆｉｅｌｄ）、前記シンク装置がマルチビューコンテンツのためのマルチストリームオーディオデータを支援するかどうかを表すマルチビューオーディオ支援フィールド（Ｍｕｌｔｉｖｉｅｗ  Ａｕｄｉｏ  Ｓｕｐｐｏｒｔ  Ｆｉｅｌｄ）、前記シンク装置がハンドリングできる最大オーディオストリームの個数を表す最大ストリームカウントフィールド（Ｍａｘｉｍｕｍ  Ｓｔｒｅａｍ  Ｃｏｕｎｔ  Ｆｉｅｌｄ）、及び３Ｄオーディオディスクリプタの個数を表すオーディオディスクリプタ個数フィールド（Ｎｕｍｂｅｒ  Ｏｆ  Ａｕｄｉｏ  Ｄｅｓｃｒｉｐｔｏｒ  Ｆｉｅｌｄ）のうち、少なくとも一つを含むことを特徴とする請求項２７に記載のデータ送信装置。
【請求項２９】
前記ディスプレイ識別情報は、
前記シンク装置が緊急状況放送受信及び処理を支援するかどうかを表す緊急チャネルフィールド（Ｅｍｅｒｇｅｎｃｙ  Ｃｈａｎｎｅｌ  Ｆｉｅｌｄ）をさらに含むことを特徴とする請求項２７に記載のデータ送信装置。
【請求項３０】
前記受信部は、データ送信装置から、オーディオデータに関してシンク装置により支援される特徴情報を含むディスプレイ識別情報を受信し、
前記データ受信装置は、前記受信されたディスプレイ識別情報を分析する分析部を備え、
前記ディスプレイ識別情報は、前記シンク装置が支援するメインオーディオ及び補助オーディオの特性に対する情報を表すメイン／補助オーディオ特性フィールドを含む、請求項８に記載のデータ受信装置。
【請求項３１】
前記メイン／補助オーディオ特性フィールドは、
前記シンク装置がメインオーディオと補助オーディオとの合成を支援するかどうかを表すオーディオミックスフィールド（Ａｕｄｉｏ  Ｍｉｘ  Ｆｉｅｌｄ）、前記シンク装置が補助オーディオを支援するかどうかを表す補助オーディオ支援フィールド（Ｓｕｐｐｌｅｍｅｎｔａｌ  Ａｕｄｉｏ  Ｓｕｐｐｏｒｔ  Ｆｉｅｌｄ）、前記シンク装置が複数の言語からなるオーディオデータを支援するかどうかを表す言語支援フィールド（Ｌａｎｇｕａｇｅ  Ｓｕｐｐｏｒｔ  Ｆｉｅｌｄ）、前記シンク装置がマルチビューコンテンツのためのマルチストリームオーディオデータを支援するかどうかを表すマルチビューオーディオ支援フィールド（Ｍｕｌｔｉｖｉｅｗ  Ａｕｄｉｏ  Ｓｕｐｐｏｒｔ  Ｆｉｅｌｄ）、前記シンク装置がハンドリングできる最大オーディオストリームの個数を表す最大ストリームカウントフィールド（Ｍａｘｉｍｕｍ  Ｓｔｒｅａｍ  Ｃｏｕｎｔ  Ｆｉｅｌｄ）、及び３Ｄオーディオディスクリプタの個数を表すオーディオディスクリプタ個数フィールド（Ｎｕｍｂｅｒ  Ｏｆ  Ａｕｄｉｏ  Ｄｅｓｃｒｉｐｔｏｒ  Ｆｉｅｌｄ）のうち、少なくとも一つを含むことを特徴とする請求項３０に記載のデータ受信装置。
【請求項３２】
前記ディスプレイ識別情報は、
前記シンク装置が緊急状況放送受信及び処理を支援するかどうかを表す緊急チャネルフィールド（Ｅｍｅｒｇｅｎｃｙ  Ｃｈａｎｎｅｌ  Ｆｉｅｌｄ）をさらに含むことを特徴とする請求項３０に記載のデータ受信装置。
【請求項３３】
前記データ送信装置は、オーディオデータに関してシンク装置により支援される特徴情報を含むディスプレイ識別情報を生成して、データ受信装置に送信し、
前記データ受信装置は、前記データ送信装置から前記ディスプレイ識別情報を受信して分析し、
前記ディスプレイ識別情報は、前記シンク装置が支援するメインオーディオ及び補助オーディオの特性に対する情報を表すメイン／補助オーディオ特性フィールドを含む、請求項１５に記載のデータ送受信システム。
【請求項３４】
データ送信方法であって、
第１サブパケット及び第２サブパケットを少なくとも含むパケットを、オーディオストリーム毎に生成するステップと、
前記生成されたパケットをデータ受信装置に送信するステップとを含み、
前記第１サブパケット及び前記第２サブパケットは、第１コンテンツに対する相異なるオーディオデータを含み、前記パケットはヘッダ及びペイロードを含み、
前記ヘッダは、
前記オーディオストリームに含まれるパケットの順番を示すシーケンス番号フィールドと、サブパケットの有無を示すプレゼントフィールドとを含み、
前記ペイロードは、オーディオタイプ情報フィールドを含み、
前記オーディオタイプ情報フィールドは、サブオーディオタイププレゼントフィールド、サブオーディオタイプフィールド、ミックスオーディオフィールド、及び言語コード有効フィールドを含み、
前記サブオーディオタイププレゼントフィールドは、オーディオデータのサブオーディオが存在するか否かを表し、
前記サブオーディオタイプフィールドは、前記複数のサブパケットのそれぞれに含まれたオーディオデータに対するサブオーディオタイプを表し、
前記ミックスオーディオフィールドは、メインオーディオデータと前記サブオーディオデータとがプレミックスされるか否かを示す１ビットのフィールドであり、
前記言語コード有効フィールドは、前記オーディオデータの有効な言語があるか否かを示す１ビットのフィールドであり、
前記サブオーディオタイププレゼントフィールドが予め設定された第１値に設定されると、前記サブオーディオタイププレゼントフィールドはサブオーディオタイプフィールドを含み、前記サブオーディオタイププレゼントフィールドが予め設定された第２値に設定されると、前記サブオーディオタイプフィールドは無視され、
前記ミックスオーディオフィールドが予め設定された第１値に設定されると、前記オーディオデータは前記メインオーディオ及び前記サブオーディオがプレミックスされたストリームを含み、
前記言語コード有効フィールドが予め設定された第１値に設定されると、前記オーディオデータは言語コードフィールドを含む、データ送信方法。
【請求項３５】
データ受信方法であって、
データ送信装置から、第１サブパケット及び第２サブパケットを少なくとも含むパケットを、オーディオストリーム毎に受信するステップと、
前記受信された第１サブパケット及び前記第２サブパケットをパーシングするステップとを含み、
前記第１サブパケット及び前記第２サブパケットは、第１コンテンツに対する相異なるオーディオデータを含み、
前記パケットはヘッダ及びペイロードを含み、
前記ヘッダは、
前記オーディオストリームに含まれるパケットの順番を示すシーケンス番号フィールドと、サブパケットの有無を示すプレゼントフィールドとを含み、
前記ペイロードは、オーディオタイプ情報フィールドを含み、
前記オーディオタイプ情報フィールドは、サブオーディオタイププレゼントフィールド、サブオーディオタイプフィールド、ミックスオーディオフィールド、及び言語コード有効フィールドを含み、
前記サブオーディオタイププレゼントフィールドは、オーディオデータのサブオーディオが存在するか否かを表し、
前記サブオーディオタイプフィールドは、前記複数のサブパケットのそれぞれに含まれたオーディオデータに対するサブオーディオタイプを表し、
前記ミックスオーディオフィールドは、メインオーディオデータと前記サブオーディオデータとがプレミックスされるか否かを示す１ビットのフィールドであり、
前記言語コード有効フィールドは、前記オーディオデータの有効な言語があるか否かを示す１ビットのフィールドであり、
前記サブオーディオタイププレゼントフィールドが予め設定された第１値に設定されると、前記サブオーディオタイププレゼントフィールドはサブオーディオタイプフィールドを含み、前記サブオーディオタイププレゼントフィールドが予め設定された第２値に設定されると、前記サブオーディオタイプフィールドは無視され、
前記ミックスオーディオフィールドが予め設定された第１値に設定されると、前記オーディオデータは前記メインオーディオ及び前記サブオーディオがプレミックスされたストリームを含み、
前記言語コード有効フィールドが予め設定された第１値に設定されると、前記オーディオデータは言語コードフィールドを含む、データ受信方法。
【請求項３６】
オーディオメタデータパケットを生成するステップと、
前記生成されたオーディオメタデータパケットをデータ受信装置に送信するステップとを含み、
前記生成されたオーディオメタデータパケットのヘッダ（ｈｅａｄｅｒ）は、３Ｄオーディオサンプルパケットの送信有無を表す３Ｄオーディオフィールド（３Ｄ  Ａｕｄｉｏ  Ｆｉｅｌｄ）を、前記プレゼントフィールドとして含む、請求項３４に記載のデータ送信方法。
【請求項３７】
データ送信装置からオーディオメタデータパケットを受信するステップと、
前記受信されたオーディオメタデータパケットをパーシングするステップとを含み、
前記受信されたオーディオメタデータパケットのヘッダ（ｈｅａｄｅｒ）は、３Ｄオーディオサンプルパケットの送信有無を表す３Ｄオーディオフィールド（３Ｄ  Ａｕｄｉｏ  Ｆｉｅｌｄ）を、前記プレゼントフィールドとして含む、請求項３５に記載のデータ受信方法。
【請求項３８】
オーディオデータに関してシンク装置により支援される特徴情報を含むディスプレイ識別情報を生成するステップと、
データ受信装置に前記ディスプレイ識別情報を送信するステップとを含み、
前記ディスプレイ識別情報は、前記シンク装置が支援するメインオーディオ及び補助オーディオの特性に対する情報を表すメイン／補助オーディオ特性フィールドを含む、請求項３４に記載のデータ送信方法。
【請求項３９】
データ送信装置から、オーディオデータに関してシンク装置により支援される特徴情報前記データ送信装置は、オーディオデータに関してシンク装置により支援される特徴情報を含むディスプレイ識別情報を生成して、データ受信装置に送信し、
前記データ受信装置は、前記データ送信装置から前記ディスプレイ識別情報を受信して分析し、
前記ディスプレイ識別情報は、前記シンク装置が支援するメインオーディオ及び補助オーディオの特性に対する情報を表すメイン／補助オーディオ特性フィールドを含む、請求項１５に記載のデータ送受信システム。
【発明の詳細な説明】
【技術分野】
【０００１】
本発明は、データ送受信方法及び装置に関し、さらに詳細には、同じコンテンツに関する複数のオーディオデータを送受信する、データ送信装置、データ受信装置、データ送受信システム、データ送信方法及びデータ受信方法に関する。
【背景技術】
【０００２】
最近、マルチメディア環境が駆逐されながら多様なデータ送信のための高速有線インタフェース規格が提案されている。例えば、ＨＤＭＩ（登録商標）、ＭＨＬは、多様なフォーマットの映像データ、オーディオ信号、制御信号の送信規格を規定する。
【０００３】
しかしながら、従来のオーディオ信号送信規格は、視覚障害者のためのオーディオデータや、コンテンツに対する多国語からなるオーディオデータを送信するなどのインタフェース規格を提示できなかった。
【０００４】
そのため、ソース装置とシンク装置との間に同じコンテンツと関連した複数のオーディオデータを送受信できるインタフェース規格の必要性が提起される。
【先行技術文献】
【特許文献】
【０００５】
【特許文献１】ＵＳ２０１４／０１１８６１６
【発明の概要】
【発明が解決しようとする課題】
【０００６】
本発明は、上述した必要性によって案出されたものであって、本発明の目的は、ソース装置とシンク装置との間に同じコンテンツに関連した複数のオーディオデータを送受信できるインタフェース規格を提供することにある。
【課題を解決するための手段】
【０００７】
上記の目的を達成すべく、本発明の一実施の形態にかかる、データ送信装置は、第１サブパケット及び第２サブパケットを含むパケットを生成するパケット生成部と、前記生成されたパケットをデータ受信装置に送信する送信部とを備え、前記第１サブパケット及び前記第２サブパケットは、第１コンテンツに対する相異なるオーディオデータを含む。
【０００８】
このとき、前記第１サブパケットは、非障害者のためのオーディオデータを含み、前記第２サブパケットは、視覚障害者のためのオーディオデータを含むことができる。
【０００９】
また、前記第１サブパケット及び前記第２サブパケットは、相異なる言語からなるオーディオデータを含むことができる。
【００１０】
また、前記第１サブパケットは、前記第２サブパケットに対するオーディオディスクリプションに該当するオーディオデータを含むことができる。
【００１１】
また、前記パケットは、前記第１コンテンツと相異なる第２コンテンツに対するオーディオデータを含む第３サブパケットをさらに含むことができる。
【００１２】
このとき、前記第１サブパケットが含むオーディオデータは、前記第１コンテンツに対する専用オーディオデータで、前記第３サブパケットが含むオーディオデータは、前記第２コンテンツに対する専用オーディオデータであり、前記第２サブパケットが含むオーディオデータは、前記第１コンテンツ及び前記第２コンテンツに対する共通オーディオデータでありうる。
【００１３】
また、前記パケットは、前記第２コンテンツに対するオーディオデータを含む第４サブパケットをさらに含み、前記第３サブパケットと前記第４サブパケットとは、相異なるオーディオデータを含むことができる。
【００１４】
上記の目的を達成すべく、本発明の一実施の形態にかかる、データ受信装置は、データ送信装置から第１サブパケット及び第２サブパケットを含むパケットを受信する受信部と、前記受信された第１サブパケット及び前記第２サブパケットをパーシングするパーシング部とを備え、前記第１サブパケット及び前記第２サブパケットは、第１コンテンツに対する相異なるオーディオデータを含む。
【００１５】
また、前記第１サブパケットは、非障害者のためのオーディオデータを含み、前記第２サブパケットは、視覚障害者のためのオーディオデータを含むことができる。
【００１６】
また、前記第１サブパケット及び前記第２サブパケットは、相異なる言語からなるオーディオデータを含むことができる。
【００１７】
このとき、前記第１サブパケットは、前記第２サブパケットに対するオーディオディスクリプションに該当するオーディオデータを含むことができる。
【００１８】
また、前記パケットは、前記第１コンテンツと相異なる第２コンテンツに対するオーディオデータを含む第３サブパケットをさらに含むことができる。
【００１９】
このとき、前記第１サブパケットが含むオーディオデータは、前記第１コンテンツに対する専用オーディオデータで、前記第３サブパケットが含むオーディオデータは、前記第２コンテンツに対する専用オーディオデータであり、前記第２サブパケットが含むオーディオデータは、前記第１コンテンツ及び前記第２コンテンツに対する共通オーディオデータでありうる。
【００２０】
また、前記パケットは、前記第２コンテンツに対するオーディオデータを含む第４サブパケットをさらに含み、前記第３サブパケットと前記第４サブパケットとは、相異なるオーディオデータを含むことができる。
【００２１】
上記の目的を達成すべく、本発明の一実施の形態にかかる、データ送受信システムは、第１サブパケット及び第２サブパケットを含むパケットを生成してデータ受信装置に送信するデータ送信装置と、前記データ送信装置から前記パケットを受信するデータ受信装置とを備え、前記第１サブパケット及び前記第２サブパケットは、第１コンテンツに対する相異なるオーディオデータを含む。
【００２２】
上記の目的を達成すべく、本発明の他の一実施の形態にかかる、データ送信装置は、オーディオメタデータパケットを生成するパケット生成部と、
前記生成されたオーディオメタデータパケットをデータ受信装置に送信する送信部とを備え、前記生成されたオーディオメタデータパケットのヘッダ（ｈｅａｄｅｒ）は、３Ｄオーディオサンプルパケットの送信有無を表す３Ｄオーディオフィールド（３Ｄ  Ａｕｄｉｏ  Ｆｉｅｌｄ）を含む。
【００２３】
また、前記生成されたオーディオメタデータパケットのヘッダは、送信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）をさらに含むことができる。
【００２４】
また、前記生成されたオーディオメタデータパケットのヘッダは、送信される相異なるコンテンツの個数情報を表すビュー個数フィールド（Ｎｕｍｂｅｒ  Ｏｆ  Ｖｉｅｗｓ  Ｆｉｅｌｄ）をさらに含むことができる。
【００２５】
また、前記生成されたオーディオメタデータパケットのペイロード（ｐａｙｌｏａｄ）は、マルチストリームオーディオサンプルパケット（Ｍｕｌｔｉ−ｓｔｒｅａｍ  Ａｕｄｉｏ  Ｓａｍｐｌｅ  Ｐａｃｋｅｔ）またはマルチストリームワンビットオーディオサンプルパケット（Ｍｕｌｔｉ−ｓｔｒｅａｍ  Ｏｎｅ  Ｂｉｔ  Ａｕｄｉｏ  Ｓａｍｐｌｅ  Ｐａｃｋｅｔ）のサブパケットに対するメタデータを表すオーディオメタデータディスクリプタフィールドを含むことができる。
【００２６】
また、前記オーディオメタデータディスクリプタフィールドは、緊急状況放送があるかどうかを表す緊急チャネルフィールド（Ｅｍｅｒｇｅｎｃｙ  Ｃｈａｎｎｅｌ  Ｆｉｅｌｄ）、マルチビューにおいて左眼または右眼映像に対応するオーディオデータを含むかどうかを表すマルチビューフィールド（Ｍｕｌｔｉｖｅｗ  Ｆｉｅｌｄ）、オーディオデータに対する言語の識別有無を表す言語コード有効フィールド（Ｌａｎｇｕａｇｅ  Ｃｏｄｅ  Ｖａｌｉｄ  Ｆｉｅｌｄ）、補助オーディオデータ有無を表す補助オーディオ有効フィールド（Ｓｕｐｐｌｅｍｅｎｔａｌ  Ａｕｄｉｏ  Ｖａｌｉｄ  Ｆｉｅｌｄ）、メインオーディオデータと前記補助オーディオデータとのプレミックス有無を表すプレミックス補助オーディオフィールド（ｐｒｅ−ｍｉｘｅｄ  Ｓｕｐｐｌｅｍｅｎｔａｌ  Ａｕｄｉｏ  Ｆｉｅｌｄ）、前記補助オーディオデータのタイプを表す補助オーディオタイプフィールド（Ｓｕｐｐｌｅｍｅｎｔａｌ  Ａｕｄｉｏ  Ｔｙｐｅ  Ｆｉｅｌｄ）、及びオーディオデータに対する言語コードを表す言語コードフィールド（Ｌａｎｇｕａｇｅ  Ｃｏｄｅ  Ｆｉｅｌｄ）のうち、少なくとも一つを含むことができる。
【００２７】
上記の目的を達成すべく、本発明の他の一実施の形態にかかる、データ受信装置は、データ送信装置からオーディオメタデータパケットを受信する受信部と、前記受信されたオーディオメタデータパケットをパーシングするパーシング部とを備え、前記受信されたオーディオメタデータパケットのヘッダ（ｈｅａｄｅｒ）は、３Ｄオーディオサンプルパケットの送信有無を表す３Ｄオーディオフィールド（３Ｄ  Ａｕｄｉｏ  Ｆｉｅｌｄ）を含む。
【００２８】
また、前記オーディオメタデータパケットのヘッダは、受信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）をさらに含むことができる。
【００２９】
また、前記オーディオメタデータパケットのヘッダは、受信される相異なるコンテンツの個数情報を表すビュー個数フィールド（Ｎｕｍｂｅｒ  Ｏｆ  Ｖｉｅｗｓ  Ｆｉｅｌｄ）をさらに含むことができる。
【００３０】
また、前記オーディオメタデータパケットのペイロード（ｐａｙｌｏａｄ）は、マルチストリームオーディオサンプルパケット（Ｍｕｌｔｉ−ｓｔｒｅａｍ  Ａｕｄｉｏ  Ｓａｍｐｌｅ  Ｐａｃｋｅｔ）またはマルチストリームワンビットオーディオサンプルパケット（Ｍｕｌｔｉ−ｓｔｒｅａｍ  Ｏｎｅ  Ｂｉｔ  Ａｕｄｉｏ  Ｓａｍｐｌｅ  Ｐａｃｋｅｔ）のサブパケットに対するメタデータを表すオーディオメタデータディスクリプタフィールドを含むことができる。
【００３１】
また、前記オーディオメタデータディスクリプタフィールドは、緊急状況放送があるかどうかを表す緊急チャネルフィールド（Ｅｍｅｒｇｅｎｃｙ  Ｃｈａｎｎｅｌ  Ｆｉｅｌｄ）、マルチビューにおいて左眼または右眼映像に対応するオーディオデータを含むかどうかを表すマルチビューフィールド（Ｍｕｌｔｉｖｅｗ  Ｆｉｅｌｄ）、オーディオデータに対する言語の識別有無を表す言語コード有効フィールド（Ｌａｎｇｕａｇｅ  Ｃｏｄｅ  Ｖａｌｉｄ  Ｆｉｅｌｄ）、補助オーディオデータ有無を表す補助オーディオ有効フィールド（Ｓｕｐｐｌｅｍｅｎｔａｌ  Ａｕｄｉｏ  Ｖａｌｉｄ  Ｆｉｅｌｄ）、メインオーディオデータと前記補助オーディオデータとのプレミックス有無を表すプレミックス補助オーディオフィールド（ｐｒｅ−ｍｉｘｅｄ  Ｓｕｐｐｌｅｍｅｎｔａｌ  Ａｕｄｉｏ  Ｆｉｅｌｄ）、前記補助オーディオデータのタイプを表す補助オーディオタイプフィールド（Ｓｕｐｐｌｅｍｅｎｔａｌ  Ａｕｄｉｏ  Ｔｙｐｅ  Ｆｉｅｌｄ）、及びオーディオデータに対する言語コードを表す言語コードフィールド（Ｌａｎｇｕａｇｅ  Ｃｏｄｅ  Ｆｉｅｌｄ）のうち、少なくとも一つを含むことができる。
【００３２】
上記の目的を達成すべく、本発明の他の一実施の形態にかかる、データ送受信システムは、オーディオメタデータパケットを生成してデータ受信装置に送信するデータ送信装置と、前記データ送信装置から前記オーディオメタデータパケットを受信するデータ受信装置とを備え、前記オーディオメタデータパケットのヘッダ（ｈｅａｄｅｒ）は、３Ｄオーディオサンプルパケットの送信有無を表す３Ｄオーディオフィールド（３Ｄ  Ａｕｄｉｏ  Ｆｉｅｌｄ）を含む。
【００３３】
上記の目的を達成すべく、本発明のさらに他の一実施の形態にかかる、データ送信装置は、オーディオデータに関してシンク装置により支援される特徴情報を含むディスプレイ識別情報を生成する生成部と、データ受信装置に前記ディスプレイ識別情報を送信する送信部とを備え、前記ディスプレイ識別情報は、前記シンク装置が支援するメインオーディオ及び補助オーディオの特性に対する情報を表すメイン／補助オーディオ特性フィールドを含む。
【００３４】
また、前記メイン／補助オーディオ特性フィールドは、前記シンク装置がメインオーディオと補助オーディオとの合成を支援するかどうかを表すオーディオミックスフィールド（Ａｕｄｉｏ  Ｍｉｘ  Ｆｉｅｌｄ）、前記シンク装置が補助オーディオを支援するかどうかを表す補助オーディオ支援フィールド（Ｓｕｐｐｌｅｍｅｎｔａｌ  Ａｕｄｉｏ  Ｓｕｐｐｏｒｔ  Ｆｉｅｌｄ）、前記シンク装置が複数の言語からなるオーディオデータを支援するかどうかを表す言語支援フィールド（Ｌａｎｇｕａｇｅ  Ｓｕｐｐｏｒｔ  Ｆｉｅｌｄ）、前記シンク装置がマルチビューコンテンツのためのマルチストリームオーディオデータを支援するかどうかを表すマルチビューオーディオ支援フィールド（Ｍｕｌｔｉｖｉｅｗ  Ａｕｄｉｏ  Ｓｕｐｐｏｒｔ  Ｆｉｅｌｄ）、前記シンク装置がハンドリングできる最大オーディオストリームの個数を表す最大ストリームカウントフィールド（Ｍａｘｉｍｕｍ  Ｓｔｒｅａｍ  Ｃｏｕｎｔ  Ｆｉｅｌｄ）、及び３Ｄオーディオディスクリプタの個数を表すオーディオディスクリプタ個数フィールド（Ｎｕｍｂｅｒ  Ｏｆ  Ａｕｄｉｏ  Ｄｅｓｃｒｉｐｔｏｒ  Ｆｉｅｌｄ）のうち、少なくとも一つを含むことができる。
【００３５】
また、前記ディスプレイ識別情報は、前記シンク装置が緊急状況放送受信及び処理を支援するかどうかを表す緊急チャネルフィールド（Ｅｍｅｒｇｅｎｃｙ  Ｃｈａｎｎｅｌ  Ｆｉｅｌｄ）をさらに含むことができる。
【００３６】
上記の目的を達成すべく、本発明のさらに他の一実施の形態にかかる、データ受信装置は、データ送信装置から、オーディオデータに関してシンク装置により支援される特徴情報を含むディスプレイ識別情報を受信する受信部と、前記受信されたディスプレイ識別情報を分析する分析部とを備え、前記ディスプレイ識別情報は、前記シンク装置が支援するメインオーディオ及び補助オーディオの特性に対する情報を表すメイン／補助オーディオ特性フィールドを含む。
【００３７】
また、前記メイン／補助オーディオ特性フィールドは、前記シンク装置がメインオーディオと補助オーディオとの合成を支援するかどうかを表すオーディオミックスフィールド（Ａｕｄｉｏ  Ｍｉｘ  Ｆｉｅｌｄ）、前記シンク装置が補助オーディオを支援するかどうかを表す補助オーディオ支援フィールド（Ｓｕｐｐｌｅｍｅｎｔａｌ  Ａｕｄｉｏ  Ｓｕｐｐｏｒｔ  Ｆｉｅｌｄ）、前記シンク装置が複数の言語からなるオーディオデータを支援するかどうかを表す言語支援フィールド（Ｌａｎｇｕａｇｅ  Ｓｕｐｐｏｒｔ  Ｆｉｅｌｄ）、前記シンク装置がマルチビューコンテンツのためのマルチストリームオーディオデータを支援するかどうかを表すマルチビューオーディオ支援フィールド（Ｍｕｌｔｉｖｉｅｗ  Ａｕｄｉｏ  Ｓｕｐｐｏｒｔ  Ｆｉｅｌｄ）、前記シンク装置がハンドリングできる最大オーディオストリームの個数を表す最大ストリームカウントフィールド（Ｍａｘｉｍｕｍ  Ｓｔｒｅａｍ  Ｃｏｕｎｔ  Ｆｉｅｌｄ）、及び３Ｄオーディオディスクリプタの個数を表すオーディオディスクリプタ個数フィールド（Ｎｕｍｂｅｒ  Ｏｆ  Ａｕｄｉｏ  Ｄｅｓｃｒｉｐｔｏｒ  Ｆｉｅｌｄ）のうち、少なくとも一つを含むことができる。
【００３８】
また、前記ディスプレイ識別情報は、前記シンク装置が緊急状況放送受信及び処理を支援するかどうかを表す緊急チャネルフィールド（Ｅｍｅｒｇｅｎｃｙ  Ｃｈａｎｎｅｌ  Ｆｉｅｌｄ）をさらに含むことができる。
【００３９】
上記の目的を達成すべく、本発明のさらに他の一実施の形態にかかる、データ送受信システムは、オーディオデータに関してシンク装置により支援される特徴情報を含むディスプレイ識別情報を生成して、データ受信装置に送信するデータ送信装置と、前記データ送信装置から前記ディスプレイ識別情報を受信して分析するデータ受信装置とを備え、前記ディスプレイ識別情報は、前記シンク装置が支援するメインオーディオ及び補助オーディオの特性に対する情報を表すメイン／補助オーディオ特性フィールドを含む。
【００４０】
上記の目的を達成すべく、本発明のさらに他の一実施の形態にかかる、データ送信方法は、第１サブパケット及び第２サブパケットを含むパケットを生成するステップと、前記生成されたパケットをデータ受信装置に送信するステップとを含み、前記第１サブパケット及び前記第２サブパケットは、第１コンテンツに対する相異なるオーディオデータを含む。
【００４１】
上記の目的を達成すべく、本発明のさらに他の一実施の形態にかかる、データ受信方法は、データ送信装置から第１サブパケット及び第２サブパケットを含むパケットを受信するステップと、前記受信された第１サブパケット及び前記第２サブパケットをパーシングするステップとを含み、前記第１サブパケット及び前記第２サブパケットは、第１コンテンツに対する相異なるオーディオデータを含む。
【００４２】
上記の目的を達成すべく、本発明のさらに他の一実施の形態にかかる、データ送信方法は、オーディオメタデータパケットを生成するステップと、前記生成されたオーディオメタデータパケットをデータ受信装置に送信するステップとを含み、前記生成されたオーディオメタデータパケットのヘッダ（ｈｅａｄｅｒ）は、３Ｄオーディオサンプルパケットの送信有無を表す３Ｄオーディオフィールド（３Ｄ  Ａｕｄｉｏ  Ｆｉｅｌｄ）を含む。
【００４３】
上記の目的を達成すべく、本発明のさらに他の一実施の形態にかかる、データ受信方法は、データ送信装置からオーディオメタデータパケットを受信するステップと、前記受信されたオーディオメタデータパケットをパーシングするステップとを含み、前記受信されたオーディオメタデータパケットのヘッダ（ｈｅａｄｅｒ）は、３Ｄオーディオサンプルパケットの送信有無を表す３Ｄオーディオフィールド（３Ｄ  Ａｕｄｉｏ  Ｆｉｅｌｄ）を含む。
【００４４】
上記の目的を達成すべく、本発明のさらに他の一実施の形態にかかる、データ送信方法は、オーディオデータに関してシンク装置により支援される特徴情報を含むディスプレイ識別情報を生成するステップと、データ受信装置に前記ディスプレイ識別情報を送信するステップとを含み、前記ディスプレイ識別情報は、前記シンク装置が支援するメインオーディオ及び補助オーディオの特性に対する情報を表すメイン／補助オーディオ特性フィールドを含む。
【００４５】
上記の目的を達成すべく、本発明の一実施の形態にかかる、データ受信方法は、データ送信装置から、オーディオデータに関してシンク装置により支援される特徴情報を含むディスプレイ識別情報を受信するステップと、前記受信されたディスプレイ識別情報を分析するステップとを含み、前記ディスプレイ識別情報は、前記シンク装置が支援するメインオーディオ及び補助オーディオの特性に対する情報を表すメイン／補助オーディオ特性フィールドを含む。
【発明の効果】
【００４６】
以上のような本発明の多様な実施の形態によれば、本発明は、ソース装置とシンク装置との間に同じコンテンツに関連した複数のオーディオデータを送受信できるインタフェース規格を提供する。
【図面の簡単な説明】
【００４７】
【図１】シングルオーディオストリーム及びマルチオーディオストリームを示す図である。
【図２】ソース装置がシンク装置にデュアルウィンドウ及び画面分離に対するマルチオーディオを送信する示す図である。
【図３】前記画面分離支援情報を表示するためのシンク装置とソース装置との間のデータ送受信を概括的に示した図である。
【図４】前記マルチオーディオサンプルパケットのペイロードが送信される状況を示す図である。
【図５】３Ｄオーディオ信号の送信タイミングを示す図である。
【図６】３Ｄオーディオ信号の送信タイミングを示す図である。
【図７】本発明の一実施の形態にかかるデータ送受信システムの構成を示すブロック図である。
【図８】本発明の一実施の形態にかかるデータ送信装置の構成を示すブロック図である。
【図９】本発明の一実施の形態にかかるデータ受信装置の構成を示すブロック図である。
【図１０】本発明の他の実施の形態にかかるデータ送受信システムの構成を示すブロック図である。
【図１１】本発明の他の実施の形態にかかるデータ送信装置の構成を示すブロック図である。
【図１２】本発明の他の実施の形態にかかるデータ受信装置の構成を示すブロック図である。
【図１３】本発明のさらに他の実施の形態にかかるデータ送受信システムの構成を示すブロック図である。
【図１４】本発明のさらに他の実施の形態にかかるデータ送信装置の構成を示すブロック図である。
【図１５】本発明のさらに他の実施の形態にかかるデータ受信装置の構成を示すブロック図である。
【図１６Ａ】クアッドビュービデオコンテンツを３Ｄインターレースフォーマットで送信する場合、多様なデータ送信フォーマットを示す図である。
【図１６Ｂ】クアッドビュービデオコンテンツを３Ｄインターレースフォーマットで送信する場合、多様なデータ送信フォーマットを示す図である。
【図１６Ｃ】クアッドビュービデオコンテンツを３Ｄインターレースフォーマットで送信する場合、多様なデータ送信フォーマットを示す図である。
【図１７】本発明の一実施の形態にかかるデータ送信方法のフローチャートである。
【図１８】本発明の一実施の形態にかかるデータ受信方法のフローチャートである。
【図１９】本発明の他の実施の形態にかかるデータ送信方法のフローチャートである。
【図２０】本発明の他の実施の形態にかかるデータ受信方法のフローチャートである。
【図２１】本発明のさらに他の実施の形態にかかるデータ送信方法のフローチャートである。
【図２２】本発明のさらに他の実施の形態にかかるデータ受信方法のフローチャートである。
【発明を実施するための形態】
【００４８】
以下、本発明の好ましい実施の形態を添付した図面を参照して詳細に説明する。本発明を説明するに当たって、関連した公知の機能又は構成についての具体的な説明が本発明の要旨を不明確にする恐れがあると判断される場合には、その詳細な説明を省略する。そして、後述する用語は、本発明での機能を考慮して定義された用語であり、これは、ユーザ、操作者の意図又は慣例などによって変わりうる。したがって、その定義は、本明細書全般にわたる内容に基づいて行わなければならない。
【００４９】
本発明は、本発明の技術的思想と均等な範囲でＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−Ｄｅｆｉｎｉｔｉｏｎ  Ｌｉｎｋ）規格のような多様な有線インタフェース送信規格に採用されることができるので、本発明の権利範囲は、これと類似の有線インタフェース送信規格までに及ぼす。
【００５０】
本明細書は、下記の文献を参照する。
【００５１】
ＩＴＵ−Ｒ  ＢＳ．２１５９−４（０５／２０１２）、家庭内多チャンネルサウンド技術と放送アプリケーション（Ｍｕｌｔｉ  ｃｈａｎｎｅｌ  ｓｏｕｎｄ  ｔｅｃｈｎｏｌｏｇｙ  ｉｎ  ｈｏｍｅ  ａｎｄ  ｂｒｏａｄｃａｓｔｉｎｇ  ａｐｐｌｉｃａｔｉｏｎｓ）
ＳＭＰＴＥ、ＳＭＰＴＥ  ２０３６−２：２００８、「ＵＨＤＴＶ−音声特徴とプログラム製作のための音声チャネルマッピング（ＵＨＤＴＶ−Ａｕｄｉｏ  ｃｈａｒａｃｔｅｒｉｓｔｉｃｓ  ａｎｄ  ａｕｄｉｏ  ｃｈａｎｎｅｌ  ｍａｐｐｉｎｇ  ｆｏｒ  ｐｒｏｇｒａｍ  ｐｒｏｄｕｃｔｉｏｎ）」、２００８
ＩＥＣ，ＩＥＣ  ６２５７４  ｅｄ  １．０、「音声、ビデオそしてマルチメディアシステム−多チャンネル音声の一般的チャネル割り当て（Ａｕｄｉｏ，ｖｉｄｅｏ  ａｎｄ  ｍｕｌｔｉｍｅｄｉａ  ｓｙｓｔｅｍｓ−Ｇｅｎｅｒａｌ  ｃｈａｎｎｅｌ  ａｓｓｉｇｎｍｅｎｔ  ｏｆ  ｍｕｌｔｉｃｈａｎｎｅｌ  ａｕｄｉｏ）」、２０１１年４月７日
【００５２】
次の表１は、本明細書において使用する用語を簡略に説明している。
【表１】
0006514649.tif 000002
0006514649.tif 000003
【００５３】
図１は、シングルオーディオストリームとマルチオーディオストリームを示す図である。
【００５４】
図１（Ａ）に示すように、シングルオーディオストリームは、少なくとも一つのビデオデータに対して複数のオーディオデータが存在し、これらのオーディオデータが一つのシングルストリームとして送信される場合である。シングルストリームでは、すべてのストリームデータが同じパケットストリームＩＤを共有するようにパケット化される。
【００５５】
図１（Ｂ）に示すように、マルチオーディオストリームは、多数のシングルＡＶストリームが送信される場合である。マルチオーディオストリームでは、唯一のパケットストリームＩＤが各シングルＡＶストリームに割り当てられる多数のシングル−ＡＶストリーム集合が存在する。多数のシングルＡＶストリームのビデオデータは、互いに独立である。
【００５６】
マルチオーディオストリームの各オーディオストリームは、最大２個のオーディオチャネルを送信する。そして、シングルオーディオストリームと関連する。例えば、シングルビューモードにおいて各オーディオは、デフォルトビデオストリームに接続され、デュアルビューモードにおいてオーディオは、左側のイメージや右側のイメージ（または両方とも）に接続されることができる。また、次のような一つ以上の補助オーディオオプションを送信できる。すなわち、画面分離タギング（Ｓｐｌｉｔ−ｓｃｒｅｅｎ  ｔａｇｇｉｎｇ）、言語表示（Ｌａｎｇｕａｇｅ  ｉｎｄｉｃａｔｉｏｎ）、視覚／聴覚障害者のためのオーディオ表示（ｉｎｄｉｃａｔｉｏｎ  ｏｆ  ａｕｄｉｏ  ｆｏｒ  ｖｉｓｕａｌｌｙ／ｈｅａｒｉｎｇ  ｉｍｐａｉｒｅｄ）がそれである。
【００５７】
画面分離（Ｓｐｌｉｔ  Ｓｃｒｅｅｎ）とは、二つ以上のウィンドウに対してソース装置により互いに異なるオーディオデータがタギングされ識別される視聴オプション（ｖｉｅｗｉｎｇ  ｏｐｔｉｏｎ）を意味する。画面分離は、ＰＩＰ視聴方式（ｐｉｃｔｕｒｅ−ｉｎ−ｐｕｃｔｕｒｅ  ｖｉｅｗｉｎｇ）、クイックプレビュー視聴方式（ｑｕｉｃｋ−ｐｒｅｖｉｅｗ）、マルチスクリーンゲーム（ｍｕｌｔｉ−ｓｃｒｅｅｎ  ｇａｍｅ）などで使用される。ここで、ウィンドウとは、シンク装置のスクリーンの一領域上にディスプレイされる、区別されるディスプレイイメージを意味する。
【００５８】
画面分離（またはマルチウィンドウも同じ用語として使用されることができる）は、マルチオーディオと共に使用される選択的な構成になることができる。画面分離モードは、シンク装置で画面が分離される構成を意味し、オーディオストリームをタギングし、特定のウィンドウにマッピングする。
【００５９】
図２は、ソース装置がシンク装置にデュアルウィンドウ及び画面分離に対するマルチオーディオを送信する示す図である。
【００６０】
図２の（Ａ）は、マルチスクリーンに各々に対するオーディオデータを送信する実施の形態であり、図２の（Ｂ）は、クイックプレビュー視聴またはＰＩＰ視聴による複数のオーディオデータを送信する実施の形態であり、図２の（Ｃ）は、マルチスクリーンゲームによる複数のオーディオデータを送信する実施の形態を示す。シンク装置のユーザは、望みのオーディオを選択して聴取できる。
【００６１】
図３は、前記画面分離支援情報を表示するためのシンク装置とソース装置との間のデータ送受信を概括的に示した図である。
【００６２】
ソース装置３１０は、ベンダー−特定インフォフレーム（Ｖｅｎｄｏｒ−Ｓｐｅｃｉｆｉｃ  Ｉｎｆｏｆｒａｍｅ）、マルチオーディオサンプルパケット（Ｍｕｌｔｉ−Ａｕｄｉｏ  Ｓａｍｐｌｅ  Ｐａｃｋｅｔ）、マルチオーディオメタデータパケット（Ｍｕｌｔｉ−Ａｕｄｉｏ  Ｍｅｔａｄａｔａ  Ｐａｃｋｅｔ）をシンク装置に送信する。
【００６３】
マルチオーディオサンプルパケットは、複数のオーディオストリームを含む。マルチオーディオメタデータパケットは、各オーディオストリームに対する設定を表示する。これは、ビデオストリームと関連し、補助オーディオ情報を運搬できる。ベンダー−特定インフォフレームは、送信されるコンテンツのマルチビュータイプを表示する。具体的な実施の形態については後述する。
【００６４】
シンク装置３２０は、拡張されたデバイス性能レジスタ（Ｅｘｔｅｎｄｅｄ  Ｄｅｖｉｃｅ  Ｃａｐａｂｉｌｉｔｙ  Ｒｅｇｉｓｔｅｒ）をソース装置に送信して、シンク装置が支援するマルチオーディオモード情報を知らせる。具体的な実施の形態については後述する。
【００６５】
一方、マルチオーディオは、補助オーディオトラック（例えば、多数言語、視覚的障害のためのオーディオ説明、または聴覚的障害のためのクリーンオーディオ）の送信を支援する。この場合に、最大１６個のオーディオストリームが同時に送信されることができる。これについても具体的な説明は後述する。
【００６６】
ＴＭＤＳシグナリングとエンコーディング
データプラットホームパケット
【表２】
0006514649.tif 000004
【００６７】
３Ｄオーディオサンプルパケット
３Ｄオーディオは、スピーカーが３Ｄ空間上において３Ｄオーディオ規格（ｅ．ｇ．１０．２ｃｈ、２２．２ｃｈ、３０．２ｃｈ等）別に決まった位置に配置されることのできるオーディオとして定義される。３Ｄオーディオサンプルパケットは、９個から３２個のオーディオチャネルを有する一つのオーディオサンプルから構成されている。
【００６８】
３Ｄオーディオストリームは、３２オーディオチャネル（またはそれ以上）までを含み、データ島区間で連続的なパケットを介して送信される。各パケットは、８オーディオチャネルまで含む。サブパケットの構成は、シーケンス番号とヘッダにあるサンプルプレゼントビット（ｓａｍｐｌｅ＿ｐｒｅｓｅｎｔ  ｂｉｔｓ）により判断される。
【００６９】
シーケンス番号フィールド（ｓｅｑｕｅｎｃｅ＿ｎｕｍｂｅｒ）：現在パケットの順序を表す。多数３Ｄオーディオサンプルパケットがシングル３Ｄオーディオサンプルを含むから、このフィールドは、パケット順序を正確に識別するために必要である。
【００７０】
他のヘッダフィールドとサブパケット構造は、ＭＨＬ２．０明細書において表されるオーディオサンプルパケットと一致する。
【表３】
0006514649.tif 000005
【００７１】
マルチオーディオサンプルパケット
マルチオーディオサンプルパケットは、各オーディオサンプルが独立的にオーディオストリームと関連した４個のオーディオサンプルを含むことができる。ソース装置が４個以上の独立的オーディオストリームを同時に送信するとき、こういう連続的なオーディオストリームは、続くマルチオーディオサンプルパケットシリーズにより送信される。パケットヘッダで定義されたシーケンス番号（ｓｅｑｕｅｎｃｅ＿ｎｕｍｂｅｒ）は、各々のマルチオーディオサンプルパケットを識別し、パケットの整列内で現在パケットの順序を示す。サブパケットの構成は、シーケンス番号とヘッダにあるサンプルプレゼントビット（ｓａｍｐｌｅ  ｐｒｅｓｅｎｔ  ｂｉｔｓ）により判断される。これについては、マルチオーディオデータパケット化で詳細に説明される。
【００７２】
各々のサブパケット（またはオーディオストリーム）のために、マルチオーディオメタデータパケット（Ｍｕｌｔｉ−Ａｕｄｉｏ  Ｍｅｔａｄａｔａ  Ｐａｃｋｅｔ）にあるディスクリプタフィールド（ｄｅｓｃｒｉｐｔｏｒ  ｆｉｅｌｄ）は、ビューモード（すなわち、シングル−ビューまたはマルチ−ビュー）、及び選択的情報（例えば、画面分離タギング、言語コード、視覚的障害のためのオーディオ等）を説明する。これらは、後で詳細に説明される。
【００７３】
シーケンス番号フィールド（ｓｅｑｕｅｎｃｅ＿ｎｕｍｂｅｒ）：ソース装置からシンク装置に送信するための４個以上のオーディオストリームがあるとき、現在マルチオーディオサンプルパケットのシーケンス番号を表す。仮に、このフィールドが０に設定されると、そのパケットは、該当サブパケットにおいて各々第１番目の４個のオーディオストリームを含むことができる。仮に、このフィールドが１に設定されると、そのパケットは、該当サブパケットにおいて各々第２番目の４個のオーディオストリームセットを含むことができる。類似の方法で、パケットは、このフィールドが２または３に設定されるとき、第３番目または第４番目の４個のオーディオストリームセットを各々含む。シーケンス番号が０であるサブパケット０で処理されるオーディオストリームは、デフォルト（ｄｅｆａｕｌｔ）オーディオストリームとして指定される。
【００７４】
ストリームプレゼントフィールド（ｓｔｒｅａｍ＿ｐｒｅｓｎｔ．ｓｐＸ）：サブパケットＸがストリームＸのオーディオサンプルを含んでいるかどうかを示す。
【００７５】
ストリームフラットフィールド（ｓｔｒｅａｍ＿ｆｌａｔ．ｓｐＸ）：サブパケットＸがストリームＸの「フラットライン（ｆｌａｔｌｉｎｅ）」サンプルを表しているかどうかを示す。ｓｔｒｅａｍ＿ｐｒｅｓｅｎｔ．ｓｐＸが設定されるときだけ有効である。
【００７６】
他のヘッダフィールドとサブパケット構造は、ＭＨＬ２．０スペックにおいて表されるオーディオサンプルパケットと一致する。
【表４】
0006514649.tif 000006
【００７７】
図４は、前記マルチオーディオサンプルパケットのペイロードが送信される状況を示す図である。
【００７８】
図４に示すように、４個のマルチオーディオサンプルパケットが送信される場合、１６個のオーディオストリームを運搬できる。シーケンス番号は、２ビットからなっているので、最大１６個のオーディオストリームが運搬されることができる。
【００７９】
３Ｄオーディオメタデータパケット
アクティブ（ａｃｔｉｖｅ）３Ｄオーディオデータを説明する補助データ（Ａｎｃｉｌｌａｒｙ  ｄａｔａ）は、３Ｄオーディオメタデータパケットを使用して送信される。ソース装置が３Ｄオーディオサンプルパケットを送信できる場合、ソース装置は、常に正確な３Ｄオーディオメタデータパケットを、少なくとも二つのビデオフィールドごとに一回送信する。
【００８０】
次は、３Ｄオーディオメタデータパケットを示す。
【表５】
0006514649.tif 000007
【表６】
0006514649.tif 000008
【表７】
0006514649.tif 000009
【表８】
0006514649.tif 000010
【表９】
0006514649.tif 000011
【表１０】
0006514649.tif 000012
【００８１】
マルチオーディオメタデータパケット（Ｍｕｌｔｉ−Ａｕｄｉｏ  Ｍｅｔａｄａｔａ  Ｐａｃｋｅｔ）
アクティブマルチオーディオストリームを説明する補助データ（ｓｕｐｐｌｅｍｅｎｔａｒｙ  ｄａｔａ）は、マルチオーディオメタデータパケットを使用して送信される。このパケットは、ビュー種類とマルチオーディオサンプルパケットから移される各々のオーディオストリームのための補助的オーディオ選択事項を説明するために使用される。
【００８２】
ソース装置がマルチオーディオサンプルパケットを送信できる場合、ソース装置は、常に正確なマルチストリームオーディオメタデータパケットを、少なくとも二つのビデオフィールド当たりの一回ずつ送信する。
【００８３】
次は、マルチオーディオメタデータパケットを示す。
【表１１】
0006514649.tif 000013
【００８４】
ビュー種類フィールド（ＭＡ＿Ｖｉｅｗ＿Ｔｙｐｅ）：シングルビューまたはマルチビューのようなマルチオーディオストリームの関連したビューモードを示す。下記の表を参考にしてほしい。
【００８５】
シーケンス番号フィールド（Ｓｅｑｕｅｎｃｅ＿Ｎｕｍｂｅｒ）：パケット、または現在マルチオーディオメタデータパケットのシーケンス番号を表す。このフィールドは、最高４個の互いに異なるマルチオーディオメタデータパケットを識別するために使用される。このフィールドは、各マルチオーディオメタデータパケットを同じシーケンス番号を有するマルチオーディオサンプルパケットに接続する。
【００８６】
オーディオストリーム個数フィールド（Ｎｕｍ＿Ａｕｄｉｏ＿Ｓｔｒｅａｍｓ：マルチオーディオサンプルパケットにより送信されたオーディオストリームの総個数を表す。
【００８７】
画面分離有効フィールド（ＳＣ＿Ｖａｌｉｄ）：仮に、１に設定される場合、画面分離タギングは支援を受け、画面分離構成フィールドは、次の７ビットで詳細化される。仮に、０に設定される場合、画面分離タギングは支援を受けないか、または詳細化されず、次の７ビットは、他の使用のために残される。
【００８８】
画面分離種類フィールド（Ｓｐｌｉｔ＿Ｓｃｒｅｅｎ＿Ｃｏｎｆｉｇ）：現在ディスクリプタにより表されるオーディオストリームに関連した画面分離種類を示す。選択可能な画面分離種類は、下記の表１３に羅列されている。このフィールドは、ＳＣ＿有効＝１のときだけ有効である。
【００８９】
マルチオーディオディスクリプタフィールド（ＭＡ＿Ｄｅｓｃｒｉｐｔｏｒ＿Ｘ）：該当マルチオーディオサンプルパケットのサブパケットＸにより送信されるオーディオストリームの特性を表す。表１３は、マルチオーディオディスクリプタの詳細な構造を示す。
【表１２】
0006514649.tif 000014
【表１３】
0006514649.tif 000015
0006514649.tif 000016
0006514649.tif 000017
【００９０】
以下記の表は、マルチオーディオディスクリプタを示す。
【表１４】
0006514649.tif 000018
【００９１】
画面分離タグフィールド（Ｓｐｌｉｔ＿Ｓｃｒｅｅｎ＿Ｔａｇ）：現在マルチオーディオディスクリプタにより表されるオーディオストリームに関連した特定ウィンドウ（分離画面構成により定義されたように）を表す。詳細な説明は、下記の表１６に表される。このフィールドは、ＳＣ＿有効＝１のときだけ有効で、それともシンク装置は、このフィールドを無視する。
【００９２】
関連ビュー識別フィールド（Ａｓｓｏｃｉａｔｅｄ＿Ｖｉｅｗ＿ＩＤ）：現在マルチオーディオディスクリプタにより表されるオーディオストリームに関連した特定ビューを表す。このフィールドの意味は、ビュー種類フィールド（ＭＡ＿Ｖｉｅｗ＿Ｔｙｐｅ）の値に拠る。詳細な説明は、下記の表１５に示す。
【００９３】
有効言語コードフィールド（ＬＣ＿ｐｒｅｓｅｎｔ）：仮に、このフィールドが１に設定されると、現在ディスクリプタは、次のバイトにおいて有効な言語コードフィールド（Ｌａｎｇｕａｇｅ＿Ｃｏｄｅ）を含む。
【００９４】
ミックスオーディオフィールド（Ｍｉｘｅｄ＿Ａｕｄｉｏ）：仮に、このフィールドが１に設定されると、該当オーディオストリームは、補助オーディオ種類フィールド（Ｓｕｐｐｌ＿Ａｕｄｉｏ＿Ｔｙｐｅ）により表れるように、一般オーディオと補助オーディオの予めミックスされたストリームを含む。
【００９５】
ＳＡＴプレゼントフィールド（ＳＡＴ＿ｐｒｅｓｅｎｔ）：仮に、このフィールドが１に設定されると、現在ディスクリプタは、次の４ビットにおいて有効な補助オーディオ種類フィールド（Ｓｕｐｐｌ＿Ａｕｄｉｏ＿Ｔｙｐｅ）を含む。
【００９６】
補助オーディオ種類フィールド（Ｓｕｐｐｌ＿Ａｕｄｉｏ＿Ｔｙｐｅ）：該当オーディオストリームのための補助オーディオの種類を表す。詳細な説明は、表１７を参考してほしい。このフィールドは、ＳＡＴプレゼントフィールド（ＳＡＴ＿ｐｒｅｓｅｎｔ）＝１であるときだけ有効で、それとも、シンク装置は、このフィールドを無視する。
【００９７】
言語コードフィールド（Ｌａｎｇｕａｇｅ＿Ｃｏｄｅ）：該当オーディオストリームのＩＳＯ６３９と定義された言語コードを表す。このフィールドは、有効言語コードフィールド（ＬＣ＿ｐｒｅｓｅｎｔ）が１に設定されるときだけ有効で、それともシンク装置は、このフィールドを無視する。
【表１５】
0006514649.tif 000019
【表１６】
0006514649.tif 000020
【表１７】
0006514649.tif 000021
【００９８】
アクティブマルチオーディオモードインジケーター(Active Multi-Audio Mode Indicator)
ソース装置は、シンク装置に、送信される正確なビューモードを表すためにＶｅｎｄｏｒ−Ｓｐｅｃｉｆｉｃ  Ｉｎｆｏｆｒａｍｅ（ＶＳＩＦ）を使用する。ＶＳＩＦは、表１８にて示されるように構造化される。
【表１８】
0006514649.tif 000022
【００９９】
ＭＨＬマルチビューフィールド（ＭＨＬ＿ＭＵＬＴＩ＿ＶＩＥＷ）：どんなマルチビューモードが送信されるかを表す。詳細な説明は、表１９に示す。
【表１９】
0006514649.tif 000023
【０１００】
ビデオ
３Ｄ支援のための３Ｄビデオディスクリプタ
【表２０】
0006514649.tif 000024
【０１０１】
各々の支援される３Ｄビデオモードは、一つの３Ｄビデオディスクリプタで表される。
【０１０２】
ＭＶ＿ＳＵＰＰ：仮に「１」に設定されると、装置は、マルチビュービデオストリーミングのための３Ｄビデオフォーマットを使用して支援する。
【０１０３】
オーディオ
チャネル／スピーカー割り当て
シンク装置が３Ｄオーディオを受信する能力がある場合に、表３８から表４０に説明された３Ｄチャネルスピーカー割り当てディスクリプタは、付着されたスピーカーの構成を表すために使用される。ソース装置から送信される３Ｄオーディオのための現在スピーカー割り当ての指標が３Ｄオーディオメタデータパケットの３Ｄ  ＣＡフィールドで取り扱われる。３Ｄ  ＣＡフィールドの詳細な説明は、表２７から表２９を参考にする。
【０１０４】
３Ｄオーディオデータパケット化(3D Audio Data Packetization)
３Ｄオーディオサンプルパケットの各サブパケットは、０または一つのＩＥＣ  ６０９５８フレームを含む。仮に、ソース装置が３Ｄオーディオストリームをダウンミックスする必要があり、そのダウンミックスされたオーディオストリームがまた３Ｄオーディオストリームであるとき、それらは、３Ｄオーディオサンプルパケットを使用して処理される。仮に、シンク装置が３Ｄオーディオ特徴を支援しない場合、ソース装置は、３Ｄオーディオメタデータパケットとともに３Ｄオーディオサンプルパケットを送信しない。
【０１０５】
チャネルの数に依存して、他のサブパケットレイアウトの数が存在する。下記の表２１から表２３は、１２、２４、または３２チャネルのそれぞれを送信する時における３Ｄオーディオパケットレイアウトを示す。
【表２１】
0006514649.tif 000025
【表２２】
0006514649.tif 000026
【表２３】
0006514649.tif 000027
【０１０６】
各々のサブパケットのための一つの、３Ｄオーディオサンプルパケットヘッダに４個のサンプルプレゼントビット（Ｓａｍｐｌｅ＿ｐｒｅｓｅｎｔ  ｂｉｔ）がある。各々は、一つのサブパケットが３Ｄオーディオサンプルを含むということを表す。付け加えて、サンプルにより代表される時間期間の間にソース装置で利用可能である有用なオーディオデータがない場合に、設定される４個のサンプルフラット（ｓａｍｐｌｅ＿ｆｌａｔ．ｓｐＸ）ビットがある。これは、サンプル比率の変化または一時的なストリーム妨害の間に発生できる。
【０１０７】
続く３Ｄオーディオサンプルパケットは、Ｌ−ＰＣＭオーディオ（すなわち、５から１６  ＩＥＣ  ６０９５８フレーム）の９からで３２個の間のチャネルを含む一つの３Ｄオーディオサンプルを処理するように使用されることができる。
【０１０８】
３Ｄオーディオサンプルの第１番目のパケットは、８個のオーディオチャネルでぎっしり積まれており、０に設定されたシーケンス番号フィールドを有する。シーケンス番号は、同じ３Ｄオーディオサンプル内で各追加パケットに対して一つずつ増加する。最後のパケットは、３Ｄオーディオサンプルの全体チャネル数に依存する８個またはそれより少ないオーディオチャネル数を含む。
【０１０９】
３Ｄオーディオサンプルパケットのためのただ５個の有効なサンプルプレゼント（ｓａｍｐｌｅ＿ｐｒｅｓｅｎｔ）ビットがある。
【表２４】
0006514649.tif 000028
【０１１０】
図５及び図６は、３Ｄオーディオ信号の送信タイミングを示す図である。
【０１１１】
図５と図６において水平ブランク区間（ｈｏｒｉｚｏｎｔａｌ  Ｂｌａｎｋｉｎｇ  Ｉｎｔｅｒｖａｌ）において３個の８チャネル２Ｄオーディオ信号サンプルを送信することが分かる。２４チャネルの３Ｄオーディオ信号は、同じ期間中に一つのサンプルが送信される。
【０１１２】
マルチオーディオデータパケット化(Multi-Audio Data Packetization)
ＭＨＬは、ＭＨＬソース装置がシングル−ＡＶストリーミングのためにオーディオストリームを同時に送信するようにする。多数オーディオストリームは、シングルビューまたはマルチビュービデオストリーミング（例えば、ビューごとに異なるオーディオを有するデュアルビューゲーミング）のうちの一つと関連する。補助オーディオモードは、画面分離タギング（すなわち、画面の他の部分がタグされ、それ自身のオーディオストリームと関連する）、言語コード、または視覚的／聴覚的障害者のためのオーディオを表すことができる。各々のオーディオストリームは、一つのビューモードと関連し、最大２個のオーディオチャネルを含む。
【０１１３】
マルチストリームオーディオサンプルパケットの各々のサブパケットは、０または一つのＩＥＣ６０９５８で定義されたＩＥＣ  ６０９５８またはＩＥＣ６１９３７「ブロック」の「フレーム」を含むことができる。
【０１１４】
送信されるための４個以上のオーディオストリームがあるとき、二つまたはそれ以上の連続するマルチオーディオサンプルパケットは、多数のオーディオストリームを送信するために使用される。パケット整列内の各パケットの順序は、シーケンス番号フィールドにより識別される。ＭＨＬソース装置は、シングルＡＶストリーム内で最大１６個の独立オーディオストリームを同時に送信できる。
【０１１５】
表２５と表２６は、ＭＨＬソース装置がシングルビュービデオストリーミングで４個のオーディオストリームを送信するときにおいて、マルチオーディオサンプルパケットとマルチオーディオメタデータパケットレイアウトの例を示す。マルチオーディオメタデータパケットは、各々のオーディオストリームの特徴（補助情報、言語）を説明する。
【０１１６】
表２７と表２８は、ＭＨＬソース装置がデュアルビュービデオストリーミングで８個のオーディオストリームを送信するときにおいて、マルチオーディオサンプルパケットとマルチオーディオメタデータパケットレイアウトの例を示す。マルチオーディオメタデータパケットは、各々のオーディオストリームの特徴（関連ビュー、補助情報、言語）を説明する。
【０１１７】
表２９と表３０は、ＭＨＬソース装置がシングルビュービデオストリーミングを可能にする画面分離タギングオプションを有して６個のオーディオストリームを送信するときにおいて、マルチオーディオサンプルパケットとマルチオーディオメタデータパケットレイアウトの例を示す。
【表２５】
0006514649.tif 000029
【表２６】
0006514649.tif 000030
【０１１８】
ＨＩのためのオーディオ：聴覚的障害のためのオーディオストリーム
ＶＩのためのオーディオ：視覚的障害のためのオーディオストリーム
【表２７】
0006514649.tif 000031
【表２８】
0006514649.tif 000032
【０１１９】
ＨＩのためのオーディオ：聴覚的障害のためのオーディオストリーム
ＶＩのためのオーディオ：視覚的障害のためのオーディオストリーム
【表２９】
0006514649.tif 000033
【表３０】
0006514649.tif 000034
【０１２０】
ＨＩのためのオーディオ：聴覚的障害のためのオーディオストリーム
ＶＩのためのオーディオ：視覚的障害のためのオーディオストリーム
【０１２１】
３Ｄオーディオメタデータパケット化
アクティブ３Ｄオーディオストリームが送信されるごとに、正確な３Ｄオーディオメタデータパケットが少なくとも二つのビデオフィールドごとに一回送信される。
【０１２２】
新しい３Ｄオーディオストリームが始まる際、または３Ｄオーディオメタデータパケットとオーディオインフォフレームにより表すことのできる３Ｄオーディオストリームに変化がある際、修正された正確な３Ｄオーディオメタデータパケットは、初めて影響を受けたノンサイレント（ｎｏｎ−ｓｉｌｅｎｔ）オーディオサンプルに従う一つのビデオフレームの以前に送信される。優先的に、これは、初めて影響を受けたオーディオサンプルが送信される直前に発生する。
【０１２３】
３Ｄオーディオメタデータパケット送信は、水平的／垂直的ブラキング区間を含むデータプラットホーム区間以内でいつでも発生できる。
【０１２４】
３Ｄオーディオがストリーミングされるとき、ＭＨＬシンク装置は、オーディオインフォフレームでＣＣとＣＡフィールドを無視し、その代りに３Ｄオーディオメタデータパケットで３Ｄ＿ＣＣと３Ｄ＿ＣＡを参考にする。
【０１２５】
マルチオーディオメタデータパケット化
アクティブマルチ−オーディオストリームが送信されるごとに、正確なマルチ−オーディオメタデータパケットが少なくとも二つビデオフィールドごとに一回送信される。
【０１２６】
新しいマルチ−オーディオストリームが始まるとき、またはマルチ−オーディオメタデータパケットとオーディオインフォフレームにより表すことのできるマルチ−オーディオストリームに変化があるとき、修正された正確なマルチ−オーディオメタデータパケットは、初めて影響を受けたノンサイレント（ｎｏｎ−ｓｉｌｅｎｔ）オーディオサンプルに従う一つのビデオフレームの以前に送信される。優先的に、これは、初めて影響を受けたオーディオサンプルが送信される直前に発生する。
【０１２７】
マルチ−オーディオメタデータパケット送信は、水平的／垂直的ブラキング区間を含むデータプラットホーム区間以内でいつでも発生できる。
【０１２８】
３Ｄ／マルチ−オーディオ支援のためのＷＲＩＴＥ＿ＢＵＲＳＴ使用
３Ｄオーディオモードに対する支援は、表３０と表３１に示したように、フォーマットされた一連のＷＲＩＴＥ＿ＢＵＲＳＴ移動を使用して示す。
【表３１】
0006514649.tif 000035
【表３２】
0006514649.tif 000036
【表３３】
0006514649.tif 000037
【表３４】
0006514649.tif 000038
【表３５】
0006514649.tif 000039
【表３６】
0006514649.tif 000040
【表３７】
0006514649.tif 000041
【表３８】
0006514649.tif 000042
太い文字は、１０．２チャネルと関連した指定スピーカーを表す。
【表３９】
0006514649.tif 000043
太い文字は、２２．２チャネルと関連した指定スピーカーを表す
【表４０】
0006514649.tif 000044
太い文字は、３０．２チャネルと関連した指定スピーカーを表す
【表４１】
0006514649.tif 000045
【０１２９】
リンク制御バス（Ｌｉｎｋ  Ｃｏｎｔｒｏｌ  Ｂｕｓ）
デバイスレジスタ変更割込み（Ｄｅｖｉｃｅ  Ｒｅｇｉｓｔｅｒ  Ｃｈａｎｇｅ  Ｉｎｔｅｒｒｕｐｔ）
【表４２】
0006514649.tif 000046
【０１３０】
３Ｄ＿ＡＵＤ＿ＲＥＱは、ＭＨＬシンク装置から３Ｄオーディオ支援情報を要請するために、ＭＨＬソース装置により使用される。ＭＨＬスペック６．１４参照。
【０１３１】
Ｂｕｒｓｔ＿ＩＤ  Ｃｏｄｅ
【表４３】
0006514649.tif 000047
【０１３２】
３Ｄ＿ＡＤと３Ｄ＿ＣＳＡＤは、オーディオ延長の支援を表すことにおいて、ＭＨＬシンク装置により使用される。ＭＨＬスペック７．ＸＸを参照。
【０１３３】
制御と構成（Ｃｏｎｔｒｏｌ  ａｎｄ  Ｃｏｎｆｉｇｕｒａｔｉｏｎ）
拡張されたデバイス性能レジスタ（Ｅｘｔｅｎｄｅｄ  Ｄｅｖｉｃｅ  Ｃａｐａｂｉｌｉｔｙ  Ｒｅｇｉｓｔｅｒ）
シンク装置は、ソース装置に拡張されたデバイス性能レジスタを提供できる。換言すれば、ソース装置は、シンク装置の拡張されたデバイス性能レジスタを読み出すことができる。
【０１３４】
下記の表のように、ＭＨＬスペックで拡張されたデバイス性能レジスタのアドレス０ｘ８５を、シンク装置が支援するマルチオーディオモードを表すのに使用することができる。
【表４４】
0006514649.tif 000048
【０１３５】
マルチオーディオモード（Ｍｕｌｔｉ−Ａｕｄｉｏ  Ｍｏｄｅ）
各シンク装置は、支援する特定マルチオーディオモードを登録するマルチオーディオモード（ＭＵＬＴＩ＿ＡＵＤ＿ＭＯＤＥ）に表示できる。
【０１３６】
マルチオーディオモードレジスタは、シンク装置が画面分離と関連したマルチオーディオ受信及び処理を支援するかどうかを表す画面分離オーディオフィールド（Ｓｐｌｉｔ  Ｓｃｒｅｅｎ  Ａｕｄｉｏ  Ｆｉｅｌｄ）を含む。
【表４５】
0006514649.tif 000049
【０１３７】
装置がマルチビュービデオストリーミングを支援する能力がない場合、このフィールドは０に設定される。
【０１３８】
マルチストリームオーディオ（Ｍｕｌｔｉ−ＳｔｒｅａｍＡｕｄｉｏ）
以下、本発明の多様な実施の形態にかかるマルチストリームオーディオを説明する。以下で説明するマルチストリームオーディオ送信スペックは、ＨＤＭＩ、ＭＨＬを含む多様な有無線送信インタフェースで適用されることができる。
【０１３９】
本発明のソース装置は、同時に４個のオーディオストリームを送信できる。マルチストリームオーディオサンプルパケット（Ｍｕｌｔｉ−ｓｔｒｅａｍ  Ａｕｄｉｏ  Ｓａｍｐｌｅ  Ｐａｃｋｅｔ）に対して、すべてのオーディオストリームは、一つのオーディオインフォフレーム（Ｉｎｆｏｆｒａｍｅ）を共有する。
【０１４０】
本発明の多様な実施の形態にかかる有線インタフェースは、シングルビュービデオストリーミングに対する支援（例えば、多数の言語（ｍｕｌｔｉ−ｌｉｎｇｕａｌ）を支援するか、または視覚／聴覚障害者のためのオーディオ等）を追加できる。これは、オーディオメタデータパケット（Ａｕｄｉｏ  Ｍｅｔａｄａｔａ  Ｐａｃｋｅｔ）を修正するか、またはＨＤＭＩオーディオデータブロック（ＨＤＭＩ  Ａｕｄｉｏ  Ｄａｔａ  Ｂｌｏｃｋ）を修正して可能である。
【０１４１】
例えば、下記の表４６のように、マルチストリームオーディオは、多数の言語を支援し、オーディオは、２チャネルで支援されることができる。
【表４６】
0006514649.tif 000050
【０１４２】
シナリオ
下記の表は、可能なシナリオを示す。
【表４７】
0006514649.tif 000051
【０１４３】
４個のサブパケットを有するマルチストリームオーディオサンプルパケットの場合、
１）シングルビューのためのオーディオディスクリプション（ａｕｄｉｏ  ｄｅｓｃｒｉｐｔｉｏｎ）と共にシングルＴＶプログラムが送信される場合、ストリーム０は、ノーマル（ｎｏｒｍａｌ）オーディオ信号を含み、ストリーム１は、視覚障害者のためのオーディオディスクリプション信号を含むことができる。
【０１４４】
２）前記シングルビューで２個国語を支援する場合、支援される言語からなるオーディオ信号ストリーム２個と、各々に対応するオーディオディスクリプションが共に送信される。例えば、英語と韓国語とが支援される場合、ストリーム０は、韓国語ノーマルオーディオ信号、ストリーム１は、視覚障害者のための韓国語オーディオディスクリプション信号、ストリーム２は、英語ノーマルオーディオ信号、ストリーム３は、視覚障害者のための英語オーディオディスクリプション信号をそれぞれ含むことができる。
【０１４５】
３）シングルビューで一つの言語からなるオーディオ信号ストリームの一つとこれに対する異なる言語で支援される視覚障害者のためのオーディオディスクリプション信号が二つ送信されることができる。例えば、ストリーム０は、韓国語または英語ノーマルオーディオ信号、ストリーム１は、視覚障害者のための韓国語オーディオディスクリプション信号、ストリーム２は、視覚障害者のための英語オーディオディスクリプション信号をそれぞれ含むことができる。
【０１４６】
４）ソース装置がマルチビューのためのオーディオ信号を送信することができる。デュアルビューが支援される場合、最も基本的な形態は、各ビューに対するオーディオ信号を一つの送信ストリームに送信することである。デュアルビューの場合、独立的な第１ビューと第２ビューを含み、各ビューは、独立的なコンテンツを提供する。
【０１４７】
５）各ビューに対して２個国語が支援されることができる。この場合、第１ビューに対する第１言語からなるオーディオ信号ストリーム、第１ビューに対する第２言語からなるオーディオ信号ストリーム、第２ビューに対する第１言語からなるオーディオ信号ストリーム、第２ビューに対する第２言語からなるオーディオ信号ストリームがそれぞれ送信されることができる。例えば、英語と韓国語とが支援される場合、ストリーム０は、第１ビューに対する韓国語オーディオ信号、ストリーム１は、第１ビューに対する英語オーディオ信号、ストリーム２は、第２ビューに対する韓国語オーディオ信号、ストリーム３は、第２ビューに対する英語オーディオ信号を含むことができる。
【０１４８】
６）デュアルビューの場合、何れか一つのビューは、視覚障害者のためのオーディオディスクリプション信号をさらに送信できる。すなわち、第１ビューに対するオーディオ信号ストリーム、第２ビューに対するノーマルオーディオ信号ストリーム、第２ビューに対する視覚障害者のためのオーディオディスクリプション信号ストリームが各々送信されることができる。例えば、ストリーム０は、第１ビューに対するオーディオ信号、ストリーム１は、第２ビューに対するオーディオ信号、ストリーム３は、第２ビューに対するオーディオディスクリプション信号を含むことができる。
【０１４９】
７）一つのストリームは、共通オーディオ信号を送信するのに使用することができる。すなわち、第１ビューと第２ビューに対する共通オーディオ信号ストリーム、第１ビュー専用オーディオストリーム、第２ビュー専用オーディオストリームがそれぞれ送信されることができる。この場合、受信端では、共通オーディオストリームと専用オーディオストリームをマルチプレックス（Ｍｕｘｉｎｇ）して出力する。このようなシナリオは、ゲームの場合に適用されることができる。例えば、ストリーム０は、第１ビューと第２ビューに対する共通オーディオ信号（例えば、背景音響、進行案内ボイス等）、ストリーム１は、第１ビューに対する専用オーディオ信号、ストリーム２は、第２ビューに対する専用オーディオ信号を含むことができる。
【０１５０】
図７は、本発明の一実施の形態にかかるデータ送受信システム１０００−１の構成を示すブロック図である。
【０１５１】
図７に示すように、本発明の一実施の形態にかかるデータ送受信システム１０００−１は、データ送信装置１００−１とデータ受信装置２００−１とを備える。
【０１５２】
データ送信装置１００−１は、第１サブパケット及び第２サブパケットを含むパケットをデータ受信装置２００−１に送信する。
【０１５３】
データ受信装置２００−１は、前記データ送信装置１００−１から第１サブパケット及び第２サブパケットを含む前記パケットを受信する。
【０１５４】
このとき、前記第１サブパケット及び前記第２サブパケットは、第１コンテンツに対する相異なるオーディオデータを含む。
【０１５５】
以下、データ送信装置１００−１とデータ受信装置２００−１の構成をさらに詳細に説明する。
【０１５６】
図８は、本発明の一実施の形態にかかるデータ送信装置１００−１の構成を示すブロック図である。
【０１５７】
図８に示すように、本発明の一実施の形態にかかるデータ送信装置１００−１は、パケット生成部１１０と送信部１２０とを備える。
【０１５８】
パケット生成部１１０は、第１サブパケット及び第２サブパケットを含むパケットを生成する。このとき、前記第１サブパケット及び前記第２サブパケットは、第１コンテンツに対する相異なるオーディオデータを含む。
【０１５９】
送信部１２０は、前記生成されたパケットをデータ受信装置２００−１に送信する。
【０１６０】
このとき、前記第１サブパケットは、非障害者のためのオーディオデータを含み、前記第２サブパケットは、視覚障害者のためのオーディオデータを含むことができる。
【０１６１】
また、前記第１サブパケット及び前記第２サブパケットは、相異なる言語からなるオーディオデータを含むことができる。
【０１６２】
また、前記第１サブパケットは、前記第２サブパケットに対するオーディオディスクリプションに該当するオーディオデータを含むことができる。
【０１６３】
また、前記パケットは、前記第１コンテンツと相異なる第２コンテンツに対するオーディオデータを含む第３サブパケットをさらに含むことができる。
【０１６４】
このとき、前記第１サブパケットが含むオーディオデータは、前記第１コンテンツに対する専用オーディオデータで、前記第３サブパケットが含むオーディオデータは、前記第２コンテンツに対する専用オーディオデータであり、前記第２サブパケットが含むオーディオデータは、前記第１コンテンツ及び前記第２コンテンツに対する共通オーディオデータになることができる。
【０１６５】
また、前記パケットは、第２コンテンツに対するオーディオデータを含む第４サブパケットをさらに含むことができ、前記第３サブパケットと前記第４サブパケットとは、相異なるオーディオデータを含むことができる。
【０１６６】
図９は、本発明の一実施の形態にかかるデータ受信装置２００−１の構成を示すブロック図である。
【０１６７】
図９に示すように、本発明の一実施の形態にかかるデータ受信装置２００−１は、受信部２１０及びパーシング部２２０を備える。
【０１６８】
受信部２１０は、データ送信装置１００−１から第１サブパケット及び第２サブパケットを含むパケットを受信する。このとき、前記第１サブパケット及び前記第２サブパケットは、第１コンテンツに対する相異なるオーディオデータを含むことができる。
【０１６９】
パーシング部２２０は、前記受信された第１サブパケット及び前記第２サブパケットをパーシングする構成である。
【０１７０】
前記第１サブパケット及び前記第２サブパケットは、相異なる言語からなるオーディオデータを含むことができる。
【０１７１】
これとは異なり、前記第１サブパケットは、前記第２サブパケットに対するオーディオディスクリプションに該当するオーディオデータを含むことができる。
【０１７２】
また、前記パケットは、前記第１コンテンツと相異なる第２コンテンツに対するオーディオデータを含む第３サブパケットをさらに含むことができる。
【０１７３】
このとき、前記第１サブパケットが含むオーディオデータは、前記第１コンテンツに対する専用オーディオデータで、前記第３サブパケットが含むオーディオデータは、前記第２コンテンツに対する専用オーディオデータであり、前記第２サブパケットが含むオーディオデータは、前記第１コンテンツ及び前記第２コンテンツに対する共通オーディオデータになることができる。
【０１７４】
また、前記パケットは、第２コンテンツに対するオーディオデータを含む第４サブパケットをさらに含むことができ、前記第３サブパケットと前記第４サブパケットとは、相異なるオーディオデータを含むことができる。
【０１７５】
オーディオメタデータパケット（Ａｕｄｉｏ  Ｍｅｔａｄａｔａ  Ｐａｃｋｅｔ）
ソース装置は、オーディオメタデータパケットをシンク装置に送信して、送信されるオーディオスペックを知らせる。このとき、オーディオメタデータパケットのヘッダは、下記のような構造を有する。
【表４８】
0006514649.tif 000052
【０１７６】
各フィールドを説明すれば、次の通りである。
【０１７７】
３Ｄオーディオフィールド（３Ｄ＿ＡＵＤＩＯ）［１ｂｉｔ］：３Ｄ＿ＡＵＤＩＯ＝１であると、オーディオメタデータパケット（Ａｕｄｉｏ  Ｍｅｔａｄａｔａ  Ｐａｃｋｅｔ）は、３Ｄオーディオチャネルカウント（３Ｄ  Ａｕｄｉｏ  Ｃｈａｎｎｅｌ  ｃｏｕｎｔ：３Ｄ＿ＣＣフィールド。下記の表を参照）とチャネル／スピーカー割り当て情報（ＡＣＡＳＴ：Ａｕｄｉｏ  Ｃｈａｎｎｅｌ  Ａｌｌｏｃａｔｉｏｎ  Ｓｔａｎｄａｒｄ  Ｔｙｐｅ）フィールド（下記の表を参照）を含む。ソースが３Ｄオーディオパケットを送信するとき、このようなフィールドは、１に設定される。
【０１７８】
ビュー個数フィールド（ＮＵＭ＿ＶＩＥＷＳ）［２ｂｉｔｓ］：ビューの個数を表す。ＮＵＭ＿ＶＩＥＷＳ＝００であると、シングルビュービデオストリーミングが支援される。ＮＵＭ＿ＶＩＥＷＳ＝０１であると、デュアルビュービデオストリーミングが支援される。このモードは、ＶＳＩＦでの３Ｄ＿ＤｕａｌＶｉｅｗ＝１の場合のみに許容される。残りのＮＵＭ＿ＶＩＥＷＳ値に対しては、未来の使用のためにリザーブされている。
【０１７９】
オーディオストリーム個数フィールド（ＮＵＭ＿ＡＵＤＩＯ＿ＳＴＲ）［２ｂｉｔｓ］：オーディオストリームの個数−１を表す。ＮＵＭ＿ＡＵＤＩＯ＿ＳＴＲ＝０１、１０、または１１の場合、オーディオメタデータパケット（Ａｕｄｉｏ  Ｍｅｔａｄａｔａ  Ｐａｃｋｅｔ）は、最大４個までオーディオメタデータディスクリプタ（ａｕｄｉｏ  ｍｅｔａｄａｔａ  ｄｅｓｃｒｉｐｔｏｒ）を含み、各々は、オーディオストリームに対応する。
【表４９】
0006514649.tif 000053
【０１８０】
下記の表は、３Ｄオーディオのためのオーディオメタデータパケットのペイロードを表す。３Ｄ＿Ａｕｄｉｏ＝１の場合、メタデータパケットペイロードは、以下の構造を有する。
【表５０】
0006514649.tif 000054
【０１８１】
すなわち、３Ｄオーディオチャネルカウント情報を表す３Ｄ＿ＣＣフィールドと、ソースにより提供されるオーディオチャネル割り当て標準タイプを表示するＡＣＡＳＴフィールドを含む。
【０１８２】
表５１は、３Ｄ＿ＣＣ値に応じるオーディオチャネルを示しており、表５２は、ＡＣＡＳＴフィールド値に応じるオーディオチャネル割り当て標準タイプを示す。
【表５１】
0006514649.tif 000055
【表５２】
0006514649.tif 000056
【０１８３】
下記の表は、マルチストリームオーディオのためのオーディオメタデータパケットのペイロードを示す。３Ｄ＿Ａｕｄｉｏ＝０の場合、メタデータパケットペイロードは、下記の構造を有する。
【表５３】
0006514649.tif 000057
【０１８４】
前記表５３に示すように、オーディオメタデータパケットのペイロードは、それぞれ５バイトのオーディオメタデータディスクリプタ（Ａｕｄｉｏ＿Ｍｅｔａｄａｔａ＿Ｄｅｓｃｒｉｐｔｏｒ）を含む。オーディオメタデータディスクリプタ（４フィールド、各５バイト）は、マルチストリームオーディオサンプルパケット（Ｍｕｌｔｉ−ｓｔｒｅａｍ  Ａｕｄｉｏ  Ｓａｍｐｌｅ  Ｐａｃｋｅｔ）においてサブパケットＸに対したオーディオメタデータまたはマルチストリームワンビットオーディオサンプルパケット（Ｍｕｌｔｉ−ｓｔｒｅａｍ  Ｏｎｅ  Ｂｉｔ  Ａｕｄｉｏ  Ｓａｍｐｌｅ  Ｐａｃｋｅｔ）においてサブパケットＸに対したオーディオメタデータを表現する。オーディオメタデータディスクリプタは、下記で構造が説明される。
【表５４】
0006514649.tif 000058
【０１８５】
各フィールドを説明すれば、以下のとおりである。
【０１８６】
緊急チャネルフィールド（Ｅｍｅｒｇｅｎｃｙ＿Ｃｈａｎｎｅｌ）［１ｂｉｔ］：Ｅｍｅｒｇｅｎｃｙ＿Ｃｈａｎｎｅｌ＝１であると、対応するオーディオストリームは、緊急警告オーディオデータを送信する。受信装置は、スクリプトなどを介して緊急放送があることを知らせることができ、ユーザは、オーディオ選択を介して受信した緊急警告オーディオ信号を出力させることができる。
【０１８７】
マルチビューフィールド（左側）（Ｍｕｌｔｉｖｉｅｗ＿Ｌｅｆｔ）［１ｂｉｔ］：Ｍｕｌｔｉｖｉｅｗ＿Ｌｅｆｔ＝１であると、対応するオーディオストリームが３Ｄビデオフォーマットにおいて左側立体映像にマッピングされる。もしＭｕｌｔｉｖｉｅｗ＿Ｌｅｆｔ＝０であると、このフィールドは、ＮＵＭ＿ＶＩＥＷＳ＝０１の場合のみに有効である。
【０１８８】
マルチビューフィールド（右側）（Ｍｕｌｔｉｖｉｅｗ＿Ｒｉｇｈｔ［１ｂｉｔ］：Ｍｕｌｔｉｖｉｅｗ＿Ｒｉｇｈｔ＝１であると、対応するオーディオストリームが３Ｄビデオフォーマットにおいて右側の立体映像にマッピングされる。もしＭｕｌｔｉｖｉｅｗ＿Ｒｉｇｈｔ＝０であると、このフィールドは、ＮＵＭ＿ＶＩＥＷＳ＝０１の場合のみに有効である。
【０１８９】
言語コード有効フィールド（ＬＣ＿Ｖａｌｉｄ）［１ｂｉｔ］：ＬＣ＿Ｖａｌｉｄ＝１であると、言語コード（Ｌａｎｇｕａｇｅ＿Ｃｏｄｅ）が有効で、対応するオーディオストリームの言語を正確に識別する。それとも、対応するオーディオストリームの言語は、明示されないことになる。
【０１９０】
補助オーディオ有効フィールド（Ｓｕｐｐｌ＿Ａ＿Ｖａｌｉｄ）［１ｂｉｔ］：Ｓｕｐｐｌ＿Ａ＿Ｖａｌｉｄ＝１であると、対応するオーディオストリームは、Ｓｕｐｐｌ＿Ａ＿Ｔｙｐｅにより現れた補助オーディオトラック（ｓｕｐｐｌｅｍｅｎｔａｌ  ａｕｄｉｏ  ｔｒａｃｋ）を含む。
【０１９１】
プレミックス補助オーディオフィールド（Ｓｕｐｐｌ＿Ａ＿Ｍｉｘｅｄ［１ｂｉｔ］：Ｓｕｐｐｌ＿Ａ＿Ｍｉｘｅｄ＝１であると、対応するオーディオストリームは、メインオーディオコンポーネントとＳｕｐｐｌ＿Ａ＿Ｔｙｐｅにより現れたプレミックス補助オーディオトラック（ｐｒｅ−ｍｉｘｅｄ  ｓｕｐｐｌｅｍｅｎｔａｌ  ａｕｄｉｏ  ｔｒａｃｋ）を含むことができる。このビットは、Ｓｕｐｐｌ＿Ａ＿Ｖａｌｉｄ＝１の場合のみに有効である。
【０１９２】
補助オーディオタイプフィールド（Ｓｕｐｐｌ＿Ａ＿Ｔｙｐｅ）［３ｂｉｔｓ］：下記の表で定義される補助オーディオタイプを表す。このフィールドは、Ｓｕｐｐｌ＿Ａ＿Ｖａｌｉｄ＝１の場合のみに有効である。表５５は、補助オーディオタイプフィールド値のディスクリプションを示す。
【０１９３】
言語コード（Ｌａｎｇｕａｇｅ＿Ｃｏｄｅ）［３Ｂｙｔｅｓ］：対応するオーディオストリームの言語を識別する。言語コードは、ＩＳＯ６３９で定義される。そして、３キャラクターコードが位置するが、最後のキャラクターコードは、オーディオメタデータディスクリプタＸ（Ａｕｄｉｏ＿Ｍｅｔａｄａｔａ＿Ｄｅｓｃｒｉｐｔｏｒ＿Ｘ）の最後のバイトと一致する。このフィールドは、ＬＣ＿Ｖａｌｉｄ＝１の場合のみに有効である。
【表５５】
0006514649.tif 000059
【０１９４】
図１０は、本発明の他の実施の形態にかかるデータ送受信システム１０００−２の構成を示すブロック図である。
【０１９５】
図１０に示すように、本発明の他の実施の形態にかかるデータ送受信システム１０００−２は、データ送信装置１００−２及びデータ受信装置２００−２を備える。
【０１９６】
データ送信装置１００−２は、オーディオメタデータパケットを生成してデータ受信装置２００−２に送信する。
【０１９７】
データ受信装置２００−２は、前記データ送信装置１００−２から前記オーディオメタデータパケットを受信する。
【０１９８】
このとき、前記オーディオメタデータパケットのヘッダ（ｈｅａｄｅｒ）は、３Ｄオーディオサンプルパケットの送信有無を表す３Ｄオーディオフィールド（３Ｄ  Ａｕｄｉｏ  Ｆｉｅｌｄ）を含む。
【０１９９】
以下、データ送信装置１００−２とデータ受信装置２００−２の構成と、オーディオメタデータパケットの構成とをさらに詳細に説明する。
【０２００】
図１１は、本発明の他の実施の形態にかかるデータ送信装置１００−２は、パケット生成部１１０及び送信部１２０を備える。
【０２０１】
パケット生成部１１０は、オーディオメタデータパケットを生成する。前記生成されたオーディオメタデータパケットのヘッダ（ｈｅａｄｅｒ）は、３Ｄオーディオサンプルパケットの送信有無を表す３Ｄオーディオフィールド（３Ｄ  Ａｕｄｉｏ  Ｆｉｅｌｄ）を含むことができる。
【０２０２】
送信部１２０は、前記生成されたオーディオメタデータパケットをデータ受信装置２００−２に送信する。
【０２０３】
また、前記生成されたオーディオメタデータパケットのヘッダは、送信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）をさらに含むことができる。
【０２０４】
また、前記生成されたオーディオメタデータパケットのヘッダは、送信される相異なるコンテンツの個数情報を表すビュー個数フィールド（Ｎｕｍｂｅｒ  Ｏｆ  Ｖｉｅｗｓ  Ｆｉｅｌｄ）をさらに含むことができる。
【０２０５】
また、前記生成されたオーディオメタデータパケットのペイロードは、マルチストリームオーディオサンプルパケット（Ｍｕｌｔｉ−ｓｔｒｅａｍ  Ａｕｄｉｏ  Ｓａｍｐｌｅ  Ｐａｃｋｅｔ）またはマルチストリームワンビットオーディオサンプルパケット（Ｍｕｌｔｉ−ｓｔｒｅａｍ  Ｏｎｅ  Ｂｉｔ  Ａｕｄｉｏ  Ｓａｍｐｌｅ  Ｐａｃｋｅｔ）のサブパケットに対するメタデータを表すオーディオメタデータディスクリプタフィールドを含むことができる。
【０２０６】
また、前記オーディオメタデータディスクリプタフィールドは、緊急状況放送があるかどうかを表す緊急チャネルフィールド（Ｅｍｅｒｇｅｎｃｙ  Ｃｈａｎｎｅｌ  Ｆｉｅｌｄ）、マルチビューにおいて左眼または右眼映像に対応するオーディオデータを含むかどうかを表すマルチビューフィールド（Ｍｕｌｔｉｖｅｗ  Ｆｉｅｌｄ）、オーディオデータに対する言語の識別有無を表す言語コード有効フィールド（Ｌａｎｇｕａｇｅ  Ｃｏｄｅ  Ｖａｌｉｄ  Ｆｉｅｌｄ）、補助オーディオデータ有無を表す補助オーディオ有効フィールド（Ｓｕｐｐｌｅｍｅｎｔａｌ  Ａｕｄｉｏ  Ｖａｌｉｄ  Ｆｉｅｌｄ）、メインオーディオデータと前記補助オーディオデータとのプレミックス有無を表すプレミックス補助オーディオフィールド（ｐｒｅ−ｍｉｘｅｄ  Ｓｕｐｐｌｅｍｅｎｔａｌ  Ａｕｄｉｏ  Ｆｉｅｌｄ）、前記補助オーディオデータのタイプを表す補助オーディオタイプフィールド（Ｓｕｐｐｌｅｍｅｎｔａｌ  Ａｕｄｉｏ  Ｔｙｐｅ  Ｆｉｅｌｄ）、及びオーディオデータに対する言語コードを表す言語コードフィールド（Ｌａｎｇｕａｇｅ  Ｃｏｄｅ  Ｆｉｅｌｄ）のうち、少なくとも一つを含むことができる。
【０２０７】
図１２は、本発明の他の実施の形態にかかるデータ受信装置２００−２の構成を示すブロック図である。
【０２０８】
図１２に示すように、本発明の他の実施の形態にかかるデータ受信装置２００−２は、受信部２１０及びパーシング部２２０を有する。
【０２０９】
受信部２１０は、データ送信装置１００−２からオーディオメタデータパケットを受信する構成である。前記オーディオメタデータパケットのヘッダ（ｈｅａｄｅｒ）は、３Ｄオーディオサンプルパケットの送信有無を表す３Ｄオーディオフィールド（３Ｄ  Ａｕｄｉｏ  Ｆｉｅｌｄ）を含む。
【０２１０】
パーシング部２２０は、前記受信されたオーディオメタデータパケットをパーシングする構成である。
【０２１１】
また、前記オーディオメタデータパケットのヘッダは、受信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）をさらに含むことができる。
【０２１２】
また、前記オーディオメタデータパケットのヘッダは、受信される相異なるコンテンツの個数情報を表すビュー個数フィールド（Ｎｕｍｂｅｒ  Ｏｆ  Ｖｉｅｗｓ  Ｆｉｅｌｄ）をさらに含むことができる。
【０２１３】
また、前記オーディオメタデータパケットのペイロード（ｐａｙｌｏａｄ）は、マルチストリームオーディオサンプルパケット（Ｍｕｌｔｉ−ｓｔｒｅａｍ  Ａｕｄｉｏ  Ｓａｍｐｌｅ  Ｐａｃｋｅｔ）またはマルチストリームワンビットオーディオサンプルパケット（Ｍｕｌｔｉ−ｓｔｒｅａｍ  Ｏｎｅ  Ｂｉｔ  Ａｕｄｉｏ  Ｓａｍｐｌｅ  Ｐａｃｋｅｔ）のサブパケットに対するメタデータを表すオーディオメタデータディスクリプタフィールドを含むことができる。
【０２１４】
このとき、前記オーディオメタデータディスクリプタフィールドは、緊急状況放送があるかどうかを表す緊急チャネルフィールド（Ｅｍｅｒｇｅｎｃｙ  Ｃｈａｎｎｅｌ  Ｆｉｅｌｄ）、マルチビューにおいて左眼または右眼映像に対応するオーディオデータを含むかどうかを表すマルチビューフィールド（Ｍｕｌｔｉｖｅｗ  Ｆｉｅｌｄ）、オーディオデータに対する言語の識別有無を表す言語コード有効フィールド（Ｌａｎｇｕａｇｅ  Ｃｏｄｅ  Ｖａｌｉｄ  Ｆｉｅｌｄ）、補助オーディオデータ有無を表す補助オーディオ有効フィールド（Ｓｕｐｐｌｅｍｅｎｔａｌ  Ａｕｄｉｏ  Ｖａｌｉｄ  Ｆｉｅｌｄ）、メインオーディオデータと前記補助オーディオデータとのプレミックス有無を表すプレミックス補助オーディオフィールド（ｐｒｅ−ｍｉｘｅｄ  Ｓｕｐｐｌｅｍｅｎｔａｌ  Ａｕｄｉｏ  Ｆｉｅｌｄ）、前記補助オーディオデータのタイプを表す補助オーディオタイプフィールド（Ｓｕｐｐｌｅｍｅｎｔａｌ  Ａｕｄｉｏ  Ｔｙｐｅ  Ｆｉｅｌｄ）、及びオーディオデータに対する言語コードを表す言語コードフィールド（Ｌａｎｇｕａｇｅ  Ｃｏｄｅ  Ｆｉｅｌｄ）のうち、少なくとも一つを含むことができる。
【０２１５】
オーディオデータブロック（Ａｕｄｉｏ  Ｄａｔａ  Ｂｌｏｃｋ）
以下は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）のオーディオデータブロックを示す表である。下記の表において３−４バイト部分は、下記の表で再定義する。
【０２１６】
また、マルチストリームオーディオのための新しい短縮オーディオディスクリプタ（Ｓｈｏｒｔ  Ａｕｄｉｏ  Ｄｅｓｃｒｉｐｔｏｒ：ＳＡＤ）は削除し、その代りに、ＥＤＩＤで定義されたノーマル（ｎｏｒｍａｌ）ＳＡＤを使用する。追加された内容によれば、２個のチャネルまで送信されることができる。
【表５６】
0006514649.tif 000060
【０２１７】
下記の表は、前記オーディオデータブロックの３−４バイトを取り替えるブロック構成を示す。
【表５７】
0006514649.tif 000061
【０２１８】
各フィールドを説明すれば、次の通りである。
【０２１９】
緊急チャネルフィールド（Ｓｕｐｐｏｒｔｓ＿ＭＳ＿Ｅｍｅｒｇｅｎｃｙ［１ｂｉｔ］：Ｓｕｐｐｏｒｔｓ＿ＭＳ＿Ｅｍｅｒｇｅｎｃｙ＝１であると、シンク装置は、緊急警告オーディオチャネルを受信し、処理することを支援する。Ｓｕｐｐｏｒｔｓ＿ＭＳ＿Ｅｍｅｒｇｅｎｃｙ＝０であると、シンク装置は、このような特徴を支援しない。
【０２２０】
オーディオミックスフィールド（Ｓｕｐｐｏｒｔｓ＿ＭＳ＿Ｍｉｘ）［１ｂｉｔ］：Ｓｕｐｐｏｒｔｓ＿ＭＳ＿Ｍｉｘ＝１であると、シンク装置は、メインオーディオと補助オーディオ（ｓｕｐｐｌｅｍｅｎｔａｒｙ  ａｕｄｉｏ）とを合成することを支援する。Ｓｕｐｐｏｒｔｓ＿ＭＳ＿Ｍｉｘ＝０であるとシンク装置は、このような合成を支援せず、ミックスされたオーディオを再生することだけを支援する。
【０２２１】
補助オーディオ支援フィールド（Ｓｕｐｐｏｒｔｓ＿ＭＳ＿Ｓｕｐｐｌｅ）［１ｂｉｔ］：Ｓｕｐｐｏｒｔｓ＿ＭＳ＿Ｓｕｐｐｌｅ＝１であると、シンク装置は、視覚／聴覚障害者のための補助オーディオトラックを有するマルチストリームオーディオを支援する。Ｓｕｐｐｏｒｔｓ＿ＭＳ＿Ｓｕｐｐｌｅ＝０であると、何も表さないか、またはシンク装置が視覚／聴覚障害者のための補助オーディオトラックを支援しないことを表す。
【０２２２】
言語支援フィールド（Ｓｕｐｐｏｒｔｓ＿ＭＳ＿Ｌａｎｇ）［１ｂｉｔ］：Ｓｕｐｐｏｒｔｓ＿ＭＳ＿Ｌａｎｇ＝１であると、シンク装置は、多数の言語オーディオストリームを有するマルチストリームオーディオを支援する。Ｓｕｐｐｏｒｔｓ＿ＭＳ＿Ｌａｎｇ＝０であると、何も表さないか、またはシンク装置が多数の言語オーディオストリームを支援しないことを表す。
【０２２３】
マルチビューオーディオ支援フィールド（Ｓｕｐｐｏｒｔｓ＿ＭＳ＿ＭｕｌｔｉＶｉｅｗ）［１ｂｉｔ］：Ｓｕｐｐｏｒｔｓ＿ＭＳ＿ＭｕｌｔｉＶｉｅｗ＝１であると、シンク装置は、マルチビュービデオストリーミングのためのマルチストリームオーディオを支援する。Ｓｕｐｐｏｒｔｓ＿ＭＳ＿ＭｕｌｔｉＶｉｅｗ＝０であると、何も表さないか、またはシンク装置がマルチビュービデオストリーミングのためのマルチストリームオーディオを支援しないことを表す。
【０２２４】
最大ストリームカウントフィールド（Ｍａｘ＿Ｓｔｒｅａｍ＿Ｃｏｕｎｔ−１［２ｂｉｔｓ］：シンク装置がハンドリングできる最大オーディオストリームの個数を表す。Ｍａｘ＿Ｓｔｒｅａｍ＿Ｃｏｕｎｔ−１値が下記の表に示される。
【０２２５】
オーディオディスクリプタ個数フィールド（ＮＵＭ＿ＨＤＭＩ＿３Ｄ＿ＡＤ）［３ｂｉｔｓ］：３Ｄオーディオディスクリプタの個数を表す。
【表５８】
0006514649.tif 000062
【０２２６】
図１３は、本発明のさらに他の実施の形態にかかるデータ送受信システム１０００−３の構成を示すブロック図である。
【０２２７】
図１３に示すように、本発明のさらに他の実施の形態にかかるデータ送受信システム１０００−３は、データ送信装置１００−３及びデータ受信装置２００−３を備える。
【０２２８】
データ送信装置１００−３は、オーディオデータに関してシンク装置により支援される特徴情報を含むディスプレイ識別情報を生成して、データ受信装置２００−３に送信する。
【０２２９】
データ受信装置２００−３は、前記データ送信装置１００−３から前記ディスプレイ識別情報を受信して分析する。このとき、前記ディスプレイ識別情報は、前記シンク装置が支援するメインオーディオ及び補助オーディオの特性に対する情報を表すメイン／補助オーディオ特性フィールドを含む。
【０２３０】
以下、データ送信装置１００−３とデータ受信装置２００−３をさらに詳細に説明する。
【０２３１】
図１４は、本発明のさらに他の実施の形態にかかるデータ送信装置１００−３の構成を示すブロック図である。
【０２３２】
図１４に示すように、本発明のさらに他の実施の形態にかかるデータ送信装置１００−３は、生成部１３０と送信部１２０を備える。
【０２３３】
生成部１３０は、オーディオデータに関してシンク装置により支援される特徴情報を含むディスプレイ識別情報を生成する構成である。
【０２３４】
送信部１２０は、データ受信装置２００−３に前記ディスプレイ識別情報を送信する。
【０２３５】
このとき、前記ディスプレイ識別情報は、前記シンク装置が支援するメインオーディオ及び補助オーディオの特性に対する情報を表すメイン／補助オーディオ特性フィールドを含む。
【０２３６】
このとき、前記メイン／補助オーディオ特性フィールドは、前記シンク装置がメインオーディオと補助オーディオとの合成を支援するかどうかを表すオーディオミックスフィールド（Ａｕｄｉｏ  Ｍｉｘ  Ｆｉｅｌｄ）、前記シンク装置が補助オーディオを支援するかどうかを表す補助オーディオ支援フィールド（Ｓｕｐｐｌｅｍｅｎｔａｌ  Ａｕｄｉｏ  Ｓｕｐｐｏｒｔ  Ｆｉｅｌｄ）、前記シンク装置が複数の言語からなるオーディオデータを支援するかどうかを表す言語支援フィールド（Ｌａｎｇｕａｇｅ  Ｓｕｐｐｏｒｔ  Ｆｉｅｌｄ）、前記シンク装置がマルチビューコンテンツのためのマルチストリームオーディオデータを支援するかどうかを表すマルチビューオーディオ支援フィールド（Ｍｕｌｔｉｖｉｅｗ  Ａｕｄｉｏ  Ｓｕｐｐｏｒｔ  Ｆｉｅｌｄ）、前記シンク装置がハンドリングできる最大オーディオストリームの個数を表す最大ストリームカウントフィールド（Ｍａｘｉｍｕｍ  Ｓｔｒｅａｍ  Ｃｏｕｎｔ  Ｆｉｅｌｄ）、及び３Ｄオーディオディスクリプタの個数を表すオーディオディスクリプタ個数フィールド（Ｎｕｍｂｅｒ  Ｏｆ  Ａｕｄｉｏ  Ｄｅｓｃｒｉｐｔｏｒ  Ｆｉｅｌｄ）のうち、少なくとも一つを含むことができる。
【０２３７】
また、前記ディスプレイ識別情報は、前記シンク装置が緊急状況放送受信及び処理を支援するかどうかを表す緊急チャネルフィールド（Ｅｍｅｒｇｅｎｃｙ  Ｃｈａｎｎｅｌ  Ｆｉｅｌｄ）をさらに含むことができる。
【０２３８】
図１５は、本発明のさらに他の実施の形態にかかるデータ受信装置２００−３の構成を示すブロック図である。
【０２３９】
図１５に示すように、本発明のさらに他の実施の形態にかかるデータ受信装置２００−３は、受信部２１０及び分析部２３０を備える。
【０２４０】
受信部２１０は、オーディオデータに関してシンク装置により支援される特徴情報を含むディスプレイ識別情報をデータ送信装置１００−３から受信する構成である。
【０２４１】
分析部２３０は、前記受信されたディスプレイ識別情報を分析する。
【０２４２】
このとき、前記ディスプレイ識別情報は、前記シンク装置が支援するメインオーディオ及び補助オーディオの特性に対する情報を表すメイン／補助オーディオ特性フィールドを含む。
【０２４３】
また、前記メイン／補助オーディオ特性フィールドは、前記シンク装置がメインオーディオと補助オーディオとの合成を支援するかどうかを表すオーディオミックスフィールド（Ａｕｄｉｏ  Ｍｉｘ  Ｆｉｅｌｄ）、前記シンク装置が補助オーディオを支援するかどうかを表す補助オーディオ支援フィールド（Ｓｕｐｐｌｅｍｅｎｔａｌ  Ａｕｄｉｏ  Ｓｕｐｐｏｒｔ  Ｆｉｅｌｄ）、前記シンク装置が複数の言語からなるオーディオデータを支援するかどうかを表す言語支援フィールド（Ｌａｎｇｕａｇｅ  Ｓｕｐｐｏｒｔ  Ｆｉｅｌｄ）、前記シンク装置がマルチビューコンテンツのためのマルチストリームオーディオデータを支援するかどうかを表すマルチビューオーディオ支援フィールド（Ｍｕｌｔｉｖｉｅｗ  Ａｕｄｉｏ  Ｓｕｐｐｏｒｔ  Ｆｉｅｌｄ）、前記シンク装置がハンドリングできる最大オーディオストリームの個数を表す最大ストリームカウントフィールド（Ｍａｘｉｍｕｍ  Ｓｔｒｅａｍ  Ｃｏｕｎｔ  Ｆｉｅｌｄ）、及び３Ｄオーディオディスクリプタの個数を表すオーディオディスクリプタ個数フィールド（Ｎｕｍｂｅｒ  Ｏｆ  Ａｕｄｉｏ  Ｄｅｓｃｒｉｐｔｏｒ  Ｆｉｅｌｄ）のうち、少なくとも一つを含むことができる。
【０２４４】
また、前記ディスプレイ識別情報は、前記シンク装置が緊急状況放送受信及び処理を支援するかどうかを表す緊急チャネルフィールド（Ｅｍｅｒｇｅｎｃｙ  Ｃｈａｎｎｅｌ  Ｆｉｅｌｄ）をさらに含むことができる。
【０２４５】
一方、本発明の多様な実施の形態にかかる有線インタフェースは、クアッドビューコンテンツ送信を支援できる。クアッドビュー送信のために、ＨＤＭＩ有線インタフェース規格の３Ｄビデオフォーマット規格を活用できる。
【０２４６】
図１６Ａないし図１６Ｃは、クアッドビュービデオコンテンツを３Ｄインターレースフォーマットで送信する場合、多様なデータ送信フォーマットを示す図である。
【０２４７】
また、この場合、ベンダー特定インフォフレーム（Ｖｅｎｄｏｒ−Ｓｐｅｃｉｆｉｃ  Ｉｎｆｏｆｒａｍｅ）とベンダー特定データブロック（Ｖｅｎｄｏｒ−ｓｐｅｃｉｆｉｃ  Ｄａｔａ  Ｂｌｏｃｋ）を修正できる。具体的に従来の３Ｄデュアルビューを定義するフィールドをリザーブ領域まで拡張する。
【表５９】
0006514649.tif 000063
【表６０】
0006514649.tif 000064
【表６１】
0006514649.tif 000065
【０２４８】
以下では、本発明の多様な実施の形態にかかる、データ送受信方法を説明する。
【０２４９】
図１７は、本発明の一実施の形態にかかるデータ送信方法のフローチャートである。
【０２５０】
図１７に示すように、本発明の一実施の形態にかかるデータ送信方法は、第１サブパケット及び第２サブパケットを含むパケットを生成するステップ（Ｓ１７１０）と、前記生成されたパケットをデータ受信装置に送信するステップ（Ｓ１７２０）とを含み、前記第１サブパケット及び前記第２サブパケットは、第１コンテンツに対する相異なるオーディオデータを含む。
【０２５１】
このとき、前記第１サブパケットは、非障害者のためのオーディオデータを含み、前記第２サブパケットは、視覚障害者のためのオーディオデータを含むことができる。
【０２５２】
また、前記第１サブパケット及び前記第２サブパケットは、相異なる言語からなるオーディオデータを含むことができる。
【０２５３】
また、前記第１サブパケットは、前記第２サブパケットに対するオーディオディスクリプションに該当するオーディオデータを含むことができる。
【０２５４】
また、前記パケットは、前記第１コンテンツと相異なる第２コンテンツに対するオーディオデータを含む第３サブパケットをさらに含むことができる。
【０２５５】
このとき、前記第１サブパケットが含むオーディオデータは、前記第１コンテンツに対する専用オーディオデータで、前記第３サブパケットが含むオーディオデータは、前記第２コンテンツに対する専用オーディオデータであり、前記第２サブパケットが含むオーディオデータは、前記第１コンテンツ及び前記第２コンテンツに対する共通オーディオデータでありうる。
【０２５６】
また、前記パケットは、前記第２コンテンツに対するオーディオデータを含む第４サブパケットをさらに含み、前記第３サブパケットと前記第４サブパケットとは、相異なるオーディオデータを含むことができる。
【０２５７】
図１８は、本発明の一実施の形態にかかるデータ受信方法のフローチャートである。
【０２５８】
図１８に示すように、本発明の他の一実施の形態にかかる、データ受信方法は、データ送信装置から第１サブパケット及び第２サブパケットを含むパケットを受信するステップ（Ｓ１８１０）と、前記受信された第１サブパケット及び前記第２サブパケットをパーシングするステップ（Ｓ１８２０）とを含み、前記第１サブパケット及び前記第２サブパケットは、第１コンテンツに対する相異なるオーディオデータを含む。
【０２５９】
また、前記第１サブパケットは、非障害者のためのオーディオデータを含み、前記第２サブパケットは、視覚障害者のためのオーディオデータを含むことができる。
【０２６０】
また、前記第１サブパケット及び前記第２サブパケットは、相異なる言語からなるオーディオデータを含むことができる。
【０２６１】
このとき、前記第１サブパケットは、前記第２サブパケットに対するオーディオディスクリプションに該当するオーディオデータを含むことができる。
【０２６２】
また、前記パケットは、前記第１コンテンツと相異なる第２コンテンツに対するオーディオデータを含む第３サブパケットをさらに含むことができる。
【０２６３】
このとき、前記第１サブパケットが含むオーディオデータは、前記第１コンテンツに対する専用オーディオデータで、前記第３サブパケットが含むオーディオデータは、前記第２コンテンツに対する専用オーディオデータであり、前記第２サブパケットが含むオーディオデータは、前記第１コンテンツ及び前記第２コンテンツに対する共通オーディオデータでありうる。
【０２６４】
また、前記パケットは、前記第２コンテンツに対するオーディオデータを含む第４サブパケットをさらに含み、前記第３サブパケットと前記第４サブパケットとは、相異なるオーディオデータを含むことができる。
【０２６５】
図１９は、本発明の他の実施の形態にかかるデータ送信方法のフローチャートである。
【０２６６】
図１９に示すように、本発明の他の実施の形態にかかる、オーディオメタデータパケットを生成するステップ（Ｓ１９１０）と、前記生成されたオーディオメタデータパケットをデータ受信装置に送信するステップ（Ｓ１９２０）とを含み、前記生成されたオーディオメタデータパケットのヘッダ（ｈｅａｄｅｒ）は、３Ｄオーディオサンプルパケットの送信有無を表す３Ｄオーディオフィールド（３Ｄ  Ａｕｄｉｏ  Ｆｉｅｌｄ）を含む。
【０２６７】
また、前記生成されたオーディオメタデータパケットのヘッダは、送信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）をさらに含むことができる。
【０２６８】
また、前記生成されたオーディオメタデータパケットのヘッダは、送信される相異なるコンテンツの個数情報を表すビュー個数フィールド（Ｎｕｍｂｅｒ  Ｏｆ  Ｖｉｅｗｓ  Ｆｉｅｌｄ）をさらに含むことができる。
【０２６９】
また、前記生成されたオーディオメタデータパケットのペイロード（ｐａｙｌｏａｄ）は、マルチストリームオーディオサンプルパケット（Ｍｕｌｔｉ−ｓｔｒｅａｍ  Ａｕｄｉｏ  Ｓａｍｐｌｅ  Ｐａｃｋｅｔ）またはマルチストリームワンビットオーディオサンプルパケット（Ｍｕｌｔｉ−ｓｔｒｅａｍ  Ｏｎｅ  Ｂｉｔ  Ａｕｄｉｏ  Ｓａｍｐｌｅ  Ｐａｃｋｅｔ）のサブパケットに対するメタデータを表すオーディオメタデータディスクリプタフィールドを含むことができる。
【０２７０】
また、前記オーディオメタデータディスクリプタフィールドは、緊急状況放送があるかどうかを表す緊急チャネルフィールド（Ｅｍｅｒｇｅｎｃｙ  Ｃｈａｎｎｅｌ  Ｆｉｅｌｄ）、マルチビューにおいて左眼または右眼映像に対応するオーディオデータを含むかどうかを表すマルチビューフィールド（Ｍｕｌｔｉｖｅｗ  Ｆｉｅｌｄ）、オーディオデータに対する言語の識別有無を表す言語コード有効フィールド（Ｌａｎｇｕａｇｅ  Ｃｏｄｅ  Ｖａｌｉｄ  Ｆｉｅｌｄ）、補助オーディオデータ有無を表す補助オーディオ有効フィールド（Ｓｕｐｐｌｅｍｅｎｔａｌ  Ａｕｄｉｏ  Ｖａｌｉｄ  Ｆｉｅｌｄ）、メインオーディオデータと前記補助オーディオデータとのプレミックス有無を表すプレミックス補助オーディオフィールド（ｐｒｅ−ｍｉｘｅｄ  Ｓｕｐｐｌｅｍｅｎｔａｌ  Ａｕｄｉｏ  Ｆｉｅｌｄ）、前記補助オーディオデータのタイプを表す補助オーディオタイプフィールド（Ｓｕｐｐｌｅｍｅｎｔａｌ  Ａｕｄｉｏ  Ｔｙｐｅ  Ｆｉｅｌｄ）、及びオーディオデータに対する言語コードを表す言語コードフィールド（Ｌａｎｇｕａｇｅ  Ｃｏｄｅ  Ｆｉｅｌｄ）のうち、少なくとも一つを含むことができる。
【０２７１】
図２０は、本発明の他の実施の形態にかかるデータ受信方法のフローチャートである。
【０２７２】
図２０に示すように、本発明の他の実施の形態にかかる、データ受信方法は、データ送信装置からオーディオメタデータパケットを受信するステップ（Ｓ２０１０）と、前記受信されたオーディオメタデータパケットをパーシングするステップ（Ｓ２０２０）とを含み、前記受信されたオーディオメタデータパケットのヘッダ（ｈｅａｄｅｒ）は、３Ｄオーディオサンプルパケットの送信有無を表す３Ｄオーディオフィールド（３Ｄ  Ａｕｄｉｏ  Ｆｉｅｌｄ）を含む。
【０２７３】
また、前記オーディオメタデータパケットのヘッダは、受信されるオーディオストリームの個数情報を表すオーディオストリーム個数フィールド（Ｎｕｍｂｅｒ  Ｏｆ  Ａｕｄｉｏ  Ｓｔｒｅａｍ  Ｆｉｅｌｄ）をさらに含むことができる。
【０２７４】
また、前記オーディオメタデータパケットのヘッダは、受信される相異なるコンテンツの個数情報を表すビュー個数フィールド（Ｎｕｍｂｅｒ  Ｏｆ  Ｖｉｅｗｓ  Ｆｉｅｌｄ）をさらに含むことができる。
【０２７５】
また、前記オーディオメタデータパケットのペイロード（ｐａｙｌｏａｄ）は、マルチストリームオーディオサンプルパケット（Ｍｕｌｔｉ−ｓｔｒｅａｍ  Ａｕｄｉｏ  Ｓａｍｐｌｅ  Ｐａｃｋｅｔ）またはマルチストリームワンビットオーディオサンプルパケット（Ｍｕｌｔｉ−ｓｔｒｅａｍ  Ｏｎｅ  Ｂｉｔ  Ａｕｄｉｏ  Ｓａｍｐｌｅ  Ｐａｃｋｅｔ）のサブパケットに対するメタデータを表すオーディオメタデータディスクリプタフィールドを含むことができる。
【０２７６】
また、前記オーディオメタデータディスクリプタフィールドは、緊急状況放送があるかどうかを表す緊急チャネルフィールド（Ｅｍｅｒｇｅｎｃｙ  Ｃｈａｎｎｅｌ  Ｆｉｅｌｄ）、マルチビューにおいて左眼または右眼映像に対応するオーディオデータを含むかどうかを表すマルチビューフィールド（Ｍｕｌｔｉｖｅｗ  Ｆｉｅｌｄ）、オーディオデータに対する言語の識別有無を表す言語コード有効フィールド（Ｌａｎｇｕａｇｅ  Ｃｏｄｅ  Ｖａｌｉｄ  Ｆｉｅｌｄ）、補助オーディオデータ有無を表す補助オーディオ有効フィールド（Ｓｕｐｐｌｅｍｅｎｔａｌ  Ａｕｄｉｏ  Ｖａｌｉｄ  Ｆｉｅｌｄ）、メインオーディオデータと前記補助オーディオデータとのプレミックス有無を表すプレミックス補助オーディオフィールド（ｐｒｅ−ｍｉｘｅｄ  Ｓｕｐｐｌｅｍｅｎｔａｌ  Ａｕｄｉｏ  Ｆｉｅｌｄ）、前記補助オーディオデータのタイプを表す補助オーディオタイプフィールド（Ｓｕｐｐｌｅｍｅｎｔａｌ  Ａｕｄｉｏ  Ｔｙｐｅ  Ｆｉｅｌｄ）、及びオーディオデータに対する言語コードを表す言語コードフィールド（Ｌａｎｇｕａｇｅ  Ｃｏｄｅ  Ｆｉｅｌｄ）のうち、少なくとも一つを含むことができる。
【０２７７】
図２１は、本発明のさらに他の実施の形態にかかるデータ送信方法のフローチャートである。
【０２７８】
図２１に示すように、本発明のさらに他の実施の形態にかかる、データ送信方法は、オーディオデータに関してシンク装置により支援される特徴情報を含むディスプレイ識別情報を生成するステップ（Ｓ２１１０）と、データ受信装置に前記ディスプレイ識別情報を送信するステップ（Ｓ２１２０）とを含み、前記ディスプレイ識別情報は、前記シンク装置が支援するメインオーディオ及び補助オーディオの特性に対する情報を表すメイン／補助オーディオ特性フィールドを含む。
【０２７９】
また、前記メイン／補助オーディオ特性フィールドは、前記シンク装置がメインオーディオと補助オーディオとの合成を支援するかどうかを表すオーディオミックスフィールド（Ａｕｄｉｏ  Ｍｉｘ  Ｆｉｅｌｄ）、前記シンク装置が補助オーディオを支援するかどうかを表す補助オーディオ支援フィールド（Ｓｕｐｐｌｅｍｅｎｔａｌ  Ａｕｄｉｏ  Ｓｕｐｐｏｒｔ  Ｆｉｅｌｄ）、前記シンク装置が複数の言語からなるオーディオデータを支援するかどうかを表す言語支援フィールド（Ｌａｎｇｕａｇｅ  Ｓｕｐｐｏｒｔ  Ｆｉｅｌｄ）、前記シンク装置がマルチビューコンテンツのためのマルチストリームオーディオデータを支援するかどうかを表すマルチビューオーディオ支援フィールド（Ｍｕｌｔｉｖｉｅｗ  Ａｕｄｉｏ  Ｓｕｐｐｏｒｔ  Ｆｉｅｌｄ）、前記シンク装置がハンドリングできる最大オーディオストリームの個数を表す最大ストリームカウントフィールド（Ｍａｘｉｍｕｍ  Ｓｔｒｅａｍ  Ｃｏｕｎｔ  Ｆｉｅｌｄ）、及び３Ｄオーディオディスクリプタの個数を表すオーディオディスクリプタ個数フィールド（Ｎｕｍｂｅｒ  Ｏｆ  Ａｕｄｉｏ  Ｄｅｓｃｒｉｐｔｏｒ  Ｆｉｅｌｄ）のうち、少なくとも一つを含むことができる。
【０２８０】
また、前記ディスプレイ識別情報は、前記シンク装置が緊急状況放送受信及び処理を支援するかどうかを表す緊急チャネルフィールド（Ｅｍｅｒｇｅｎｃｙ  Ｃｈａｎｎｅｌ  Ｆｉｅｌｄ）をさらに含むことができる。
【０２８１】
図２２は、本発明のさらに他の実施の形態にかかるデータ受信方法のフローチャートである。
【０２８２】
図２２に示すように、本発明のさらに他の実施の形態にかかるデータ受信方法は、データ送信装置から、オーディオデータに関してシンク装置により支援される特徴情報を含むディスプレイ識別情報を受信するステップ（Ｓ２２１０）と、前記受信されたディスプレイ識別情報を分析するステップ（Ｓ２２２０）とを含み、前記ディスプレイ識別情報は、前記シンク装置が支援するメインオーディオ及び補助オーディオの特性に対する情報を表すメイン／補助オーディオ特性フィールドを含む。
【０２８３】
また、前記メイン／補助オーディオ特性フィールドは、前記シンク装置がメインオーディオと補助オーディオとの合成を支援するかどうかを表すオーディオミックスフィールド（Ａｕｄｉｏ  Ｍｉｘ  Ｆｉｅｌｄ）、前記シンク装置が補助オーディオを支援するかどうかを表す補助オーディオ支援フィールド（Ｓｕｐｐｌｅｍｅｎｔａｌ  Ａｕｄｉｏ  Ｓｕｐｐｏｒｔ  Ｆｉｅｌｄ）、前記シンク装置が複数の言語からなるオーディオデータを支援するかどうかを表す言語支援フィールド（Ｌａｎｇｕａｇｅ  Ｓｕｐｐｏｒｔ  Ｆｉｅｌｄ）、前記シンク装置がマルチビューコンテンツのためのマルチストリームオーディオデータを支援するかどうかを表すマルチビューオーディオ支援フィールド（Ｍｕｌｔｉｖｉｅｗ  Ａｕｄｉｏ  Ｓｕｐｐｏｒｔ  Ｆｉｅｌｄ）、前記シンク装置がハンドリングできる最大オーディオストリームの個数を表す最大ストリームカウントフィールド（Ｍａｘｉｍｕｍ  Ｓｔｒｅａｍ  Ｃｏｕｎｔ  Ｆｉｅｌｄ）、及び３Ｄオーディオディスクリプタの個数を表すオーディオディスクリプタ個数フィールド（Ｎｕｍｂｅｒ  Ｏｆ  Ａｕｄｉｏ  Ｄｅｓｃｒｉｐｔｏｒ  Ｆｉｅｌｄ）のうち、少なくとも一つを含むことができる。
【０２８４】
また、前記ディスプレイ識別情報は、前記シンク装置が緊急状況放送受信及び処理を支援するかどうかを表す緊急チャネルフィールド（Ｅｍｅｒｇｅｎｃｙ  Ｃｈａｎｎｅｌ  Ｆｉｅｌｄ）をさらに含むことができる。
【０２８５】
以上では、本発明の実施の形態について図示し説明したが、本発明は、上述した特定の実施の形態に限定されるものではなく、請求の範囲で請求する本発明の要旨から逸脱せずに当該発明が属する技術分野における通常の知識を有した者によって多様な変形実施が可能なことはもちろんで、このような変形実施は、本発明の技術的思想や展望から個別的に理解されてはならない。
【図１】
0006514649.tif 000066
【図２】
0006514649.tif 000067
【図３】
0006514649.tif 000068
【図４】
0006514649.tif 000069
【図５】
0006514649.tif 000070
【図６】
0006514649.tif 000071
【図７】
0006514649.tif 000072
【図８】
0006514649.tif 000073
【図９】
0006514649.tif 000074
【図１０】
0006514649.tif 000075
【図１１】
0006514649.tif 000076
【図１２】
0006514649.tif 000077
【図１３】
0006514649.tif 000078
【図１４】
0006514649.tif 000079
【図１５】
0006514649.tif 000080
【図１６Ａ】
0006514649.tif 000081
【図１６Ｂ】
0006514649.tif 000082
【図１６Ｃ】
0006514649.tif 000083
【図１７】
0006514649.tif 000084
【図１８】
0006514649.tif 000085
【図１９】
0006514649.tif 000086
【図２０】
0006514649.tif 000087
【図２１】
0006514649.tif 000088
【図２２】
0006514649.tif 000089